(57)【要約】【課題】画質の低下を抑えることができる表示装置を得る。【解決手段】表示部と、それぞれが開状態と閉状態とを切り換え可能となるように並設された複数の液晶バリアを含むバリア部と、複数の液晶バリアのうち、閉状態にすべき互いに隣接する２以上の液晶バリアに対して、同じ極性の駆動信号を供給するバリア駆動部とを備える。【選択図】図１２
2013011849.tif 000002
【特許請求の範囲】
【請求項１】
表示部と、
それぞれが開状態と閉状態とを切り換え可能となるように並設された複数の液晶バリアを含むバリア部と、
前記複数の液晶バリアのうち、閉状態にすべき互いに隣接する２以上の液晶バリアに対して、同じ極性の駆動信号を供給するバリア駆動部と
を備えた表示装置。
【請求項２】
前記複数の液晶バリアは、第１の方向に延在するとともに、その第１の方向に交差する方向に交互に形成された複数の第１の液晶バリアおよび複数の第２の液晶バリアを有する
請求項１に記載の表示装置。
【請求項３】
前記複数の第１の液晶バリアは、複数のバリアグループにグループ分けされ、
前記バリア駆動部は、
前記複数の第１の液晶バリアを、第１の期間内においてバリアグループ間で巡回するように開閉駆動するとともに、
前記複数の第２の液晶バリアを閉状態にするように駆動する
請求項２に記載の表示装置。
【請求項４】
前記バリア駆動部は、前記複数の第１の液晶バリアに対して、バリアグループごとに互いに異なる複数の第１の駆動信号を供給するとともに、前記複数の第２の液晶バリアに対して第２の駆動信号を供給し、
前記複数の第１の駆動信号および前記第２の駆動信号は、極性が遷移する信号である
請求項３に記載の表示装置。
【請求項５】
閉状態にすべき前記第１の液晶バリアに供給する前記第１の駆動信号は、閉状態にすべき前記第２の液晶バリアに供給する前記第２の駆動信号と同じ極性である
請求項４に記載の表示装置。
【請求項６】
閉状態にすべき前記第１の液晶バリアに供給する前記第１の駆動信号は、閉状態にすべき前記第２の液晶バリアに供給する前記第２の駆動信号と同じ電圧である
請求項５に記載の表示装置。
【請求項７】
閉状態にすべき前記第１の液晶バリアに供給する前記第１の駆動信号は、閉状態にすべき前記第２の液晶バリアに供給する前記第２の駆動信号よりも振幅が小さい
請求項５に記載の表示装置。
【請求項８】
前記第２の駆動信号は、前記第１の期間より短い第２の期間ごとに極性反転する
請求項４に記載の表示装置。
【請求項９】
前記第２の駆動信号は、前記第１の期間より短い第２の期間ごとに極性反転する部分駆動波形を有し、
前記部分駆動波形は、前記第１の期間ごとに反転する
請求項４に記載の表示装置。
【請求項１０】
前記第２の駆動信号は、前記第１の期間ごとに極性反転する
請求項４に記載の表示装置。
【請求項１１】
一のバリアグループに属する第１の液晶バリアの開状態期間は、他の一のバリアグループに属する第１の液晶バリアの開状態期間と一部重なっている
請求項４に記載の表示装置。
【請求項１２】
前記第１の駆動信号は、その第１の駆動信号が供給される前記第１の液晶バリアを閉状態にするための第１の波形部分と、開状態にするための第２の波形部分と、前記第１の波形部分の後であって前記第２の波形部分の前に配置された第３の波形部分とを含む
請求項４に記載の表示装置。
【請求項１３】
前記第２の駆動信号は、前記第１の波形部分に対応する波形部分と、前記第３の波形部分に対応する波形部分とを含む
請求項１２に記載の表示装置。
【請求項１４】
３次元映像表示モードおよび２次元映像表示モードを含む複数の表示モードを有し、
前記３次元映像表示モードにおいて、前記表示部が複数の異なる視点映像を表示する
請求項３に記載の表示装置。
【請求項１５】
３次元映像表示モードおよび２次元映像表示モードを含む複数の表示モードを有し、
前記２次元映像表示モードでは、
前記表示部が１つの視点映像を表示し、
前記バリア駆動部は、前記複数の第１の液晶バリアおよび前記複数の第２の液晶バリアが開状態になるように駆動する
請求項２に記載の表示装置。
【請求項１６】
前記複数の液晶バリアは、第１の方向に延在し、複数のバリアグループにグループ分けされ、
前記バリア駆動部は、前記複数の液晶バリアを、第１の期間においてバリアグループ間で巡回するように開閉駆動する
請求項１に記載の表示装置。
【請求項１７】
前記バリア駆動部は、前記複数の液晶バリアに対して、バリアグループごとに互いに異なる複数の駆動信号を供給し、
前記複数の駆動信号は、極性が遷移する信号である
請求項１６に記載の表示装置。
【請求項１８】
閉状態にすべき前記液晶バリアに供給する前記駆動信号は、隣接する液晶バリアのうちの閉状態にすべき液晶バリアに供給する駆動信号と同じ極性である
請求項１７に記載の表示装置。
【請求項１９】
閉状態にすべき前記液晶バリアに供給する前記駆動信号は、隣接する液晶バリアのうちの閉状態にすべき液晶バリアに供給する駆動信号と同じ電圧である
請求項１８に記載の表示装置。
【請求項２０】
前記駆動信号は、前記第１の期間より短い第２の期間ごとに遷移する
請求項１７に記載の表示装置。
【請求項２１】
前記駆動信号は、その駆動信号が供給される液晶バリアを閉状態にするための第１の波形部分と、開状態にするための第２の波形部分と、前記第１の波形部分の後であって前記第２の波形部分の前に配置された第３の波形部分とを含む
請求項１７に記載の表示装置。
【請求項２２】
各液晶バリアは、駆動信号と共通信号との電位差に基づいて開閉する
請求項１に記載の表示装置。
【請求項２３】
前記共通信号は直流信号である
請求項２２に記載の表示装置。
【請求項２４】
前記共通信号は交流信号である
請求項２２に記載の表示装置。
【請求項２５】
各液晶バリアは、前記電位差が大きいほど透過率が低下するものである
請求項２２に記載の表示装置。
【請求項２６】
前記表示部は液晶表示部であり、
バックライトをさらに備え、
前記液晶表示部は、前記バックライトと前記バリア部との間に配置されている
請求項１に記載の表示装置。
【請求項２７】
前記表示部は液晶表示部であり、
バックライトをさらに備え、
前記バリア部は、前記バックライトと前記液晶表示部との間に配置されている
請求項１に記載の表示装置。
【請求項２８】
それぞれが開状態と閉状態とを切り換え可能となるように並設された複数の液晶バリアを含むバリア部と、
前記複数の液晶バリアのうち、閉状態にすべき互いに隣接する２以上の液晶バリアに対して、同じ極性の駆動信号を供給するバリア駆動部と
を備えたバリア装置。
【請求項２９】
それぞれが開状態と閉状態とを切り換え可能となるように並設された複数の液晶バリアのうち、閉状態にすべき互いに隣接する２以上の液晶バリアに対して、同じ極性の駆動信号を供給するバリア駆動部を備えた
バリア駆動回路。
【請求項３０】
それぞれが開状態と閉状態とを切り換え可能となるように並設された複数の液晶バリアのうち、閉状態にすべき互いに隣接する２以上の液晶バリアに対して、同じ極性の駆動信号を供給するように駆動する
バリア装置の駆動方法。
【発明の詳細な説明】
【技術分野】
【０００１】
本開示は、立体視表示が可能なパララックスバリア方式の表示装置、およびそのような表示装置に用いられるバリア装置、バリア駆動回路、ならびにバリア装置の駆動方法に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。
【０００４】
このような表示装置で複数の視点の映像を表示した場合には、映像の実質的な解像度が、ＣＲＴ（Cathode Ray Tube）や液晶表示装置などの表示装置自体の解像度を視点の数で割ったものとなり、画質が低下してしまうという問題があった。この問題を解決するために、様々な検討がなされている。例えば、特許文献１には、表示面内に並設された複数の液晶バリアのそれぞれの透過状態（開状態）および遮断状態（閉状態）を時分割的に切り替えて表示することにより等価的に解像度を改善する、パララックスバリア方式の表示装置が提案されている。
【先行技術文献】
【特許文献】
【０００５】
【特許文献１】特開２０１０−２７６９６５号公報
【発明の概要】
【発明が解決しようとする課題】
【０００６】
ところで、並設された複数の液晶バリアは、それぞれ駆動信号が供給され駆動される。よって、液晶バリア間の領域は、所望の状態になっていないおそれがあり、この場合には画質が低下するおそれがある。
【０００７】
本開示はかかる問題点に鑑みてなされたもので、その目的は、画質の低下を抑えることができる、表示装置、バリア装置、バリア駆動回路、およびバリア装置の駆動方法を提供することにある。
【課題を解決するための手段】
【０００８】
本開示の表示装置は、表示部と、バリア部と、バリア駆動部とを備えている。バリア部は、それぞれが開状態と閉状態とを切り換え可能となるように並設された複数の液晶バリアを含むものである。バリア駆動部は、複数の液晶バリアのうち、閉状態にすべき互いに隣接する２以上の液晶バリアに対して、同じ極性の駆動信号を供給ものである。
【０００９】
本開示のバリア装置は、バリア部と、バリア駆動部とを備えている。バリア部は、それぞれが開状態と閉状態とを切り換え可能となるように並設された複数の液晶バリアを含むものである。バリア駆動部は、複数の液晶バリアのうち、閉状態にすべき互いに隣接する２以上の液晶バリアに対して、同じ極性の駆動信号を供給ものである。
【００１０】
本開示のバリア駆動回路は、バリア駆動部を備えている。バリア駆動部は、それぞれが開状態と閉状態とを切り換え可能となるように並設された複数の液晶バリアのうち、閉状態にすべき互いに隣接する２以上の液晶バリアに対して、同じ極性の駆動信号を供給するものである。
【００１１】
本開示のバリア装置の駆動方法は、それぞれが開状態と閉状態とを切り換え可能となるように並設された複数の液晶バリアのうち、閉状態にすべき互いに隣接する２以上の液晶バリアに対して、同じ極性の駆動信号を供給するように駆動するものである。
【００１２】
本開示の表示装置、バリア装置、バリア駆動回路、およびバリア装置の駆動方法では、複数の液晶バリアを開状態にすることにより、表示部に表示された映像が観察者に視認される。複数の液晶バリアは、駆動信号に基づいて開状態と閉状態との間で切り換え制御される。その際、閉状態にすべき互いに隣接する２以上の液晶バリアには、同じ極性の駆動信号が印加される。
【発明の効果】
【００１３】
本開示の表示装置、バリア装置、バリア駆動回路、およびバリア装置の駆動方法によれば、閉状態にすべき互いに隣接する２以上の液晶バリアに対して、同じ極性の駆動信号を供給するようにしたので、画質の低下を抑えることができる。
【図面の簡単な説明】
【００１４】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】図１に示した表示部の一構成例を表す回路図である。
【図５】図１に示した液晶バリア部の一構成例を表す説明図である。
【図６】図１に示した液晶バリア部のグループ構成例を表す説明図である。
【図７】図１に示した表示部および液晶バリア部の一動作例を表す模式図である。
【図８】図１に示したバリア駆動部の一構成例を表すブロック図である。
【図９】図８に示したバリア駆動部の一動作例を表すタイミング波形図である。
【図１０】図８に示したバリア駆動部の他の動作例を表すタイミング波形図である。
【図１１】図１に示した立体表示装置の立体視表示動作の一動作例を表す模式図である。
【図１２】第１の実施の形態に係る立体表示装置の一動作例を表すタイミング波形図である。
【図１３】第１の実施の形態に係る各開閉部へ印加される電圧を説明するための模式図である。
【図１４】第１の実施の形態に係る開閉部間の境界領域の状態を説明するための説明図である。
【図１５】比較例に係る立体表示装置の一動作例を表すタイミング波形図である。
【図１６】比較例に係る各開閉部へ印加される電圧を説明するための模式図である。
【図１７】比較例に係る開閉部間の境界領域の状態を説明するための説明図である。
【図１８】第１の実施の形態の変形例に係るバリア駆動部の一動作例を表すタイミング波形図である。
【図１９】第１の実施の形態の変形例に係る立体表示装置の一動作例を表すタイミング波形図である。
【図２０】第１の実施の形態の他の変形例に係るバリア駆動部の一動作例を表すタイミング波形図である。
【図２１】第１の実施の形態の他の変形例に係る立体表示装置の一動作例を表すタイミング波形図である。
【図２２】第１の実施の形態の他の変形例に係る液晶バリア部のグループ構成例を表す説明図である。
【図２３】第１の実施の形態の他の変形例に係る立体表示装置の一動作例を表すタイミング波形図である。
【図２４】第１の実施の形態の他の変形例に係る液晶バリア部のグループ構成例を表す説明図である。
【図２５】第１の実施の形態の他の変形例に係る立体表示装置の一動作例を表すタイミング波形図である。
【図２６】第１の実施の形態の他の変形例に係る立体表示装置の一動作例を表すタイミング波形図である。
【図２７】第２の実施の形態に係るバリア駆動部の一動作例を表すタイミング波形図である。
【図２８】第２の実施の形態に係る立体表示装置の一動作例を表すタイミング波形図である。
【図２９】第２の実施の形態の変形例に係る立体表示装置の一動作例を表すタイミング波形図である。
【図３０】第２の実施の形態の他の変形例に係る立体表示装置の一動作例を表すタイミング波形図である。
【図３１】第３の実施の形態に係るバリア駆動部の一構成例を表すブロック図である。
【図３２】図３１に示したバリア駆動部の一動作例を表すタイミング波形図である。
【図３３】図３１に示したバリア駆動部の他の動作例を表すタイミング波形図である。
【図３４】第３の実施の形態に係る立体表示装置の一動作例を表すタイミング波形図である。
【図３５】第４の実施の形態に係る液晶バリア部の一構成例を表す平面図である。
【図３６】第４の実施の形態に係る表示部および液晶バリア部の一動作例を表す模式図である。
【図３７】第４の実施の形態に係る立体表示装置の一動作例を表すタイミング波形図である。
【図３８】第５の実施の形態に係るバリア駆動部の一構成例を表すブロック図である。
【図３９】第５の実施の形態に係るバリア駆動部の一動作例を表すタイミング波形図である。
【図４０】第５の実施の形態に係る立体表示装置の一動作例を表すタイミング波形図である。
【図４１】第５の実施の形態に係る立体表示装置の輝度分布特性の一例を表す特性図である。
【図４２】第５の実施の形態に係る立体表示装置のコントラスト特性の一例を表す特性図である。
【図４３】第６の実施の形態に係るバリア駆動部の一動作例を表すタイミング波形図である。
【図４４】第６の実施の形態に係る立体表示装置の一動作例を表すタイミング波形図である。
【図４５】第６の実施の形態に係るバリア駆動信号の一例を表す波形図である。
【図４６】第６の実施の形態に係る開閉部の透過率を表す特性図である。
【図４７】第６の実施の形態の変形例に係るバリア駆動信号の一例を表す波形図である。
【図４８】第６の実施の形態の他の変形例に係る立体表示装置の一動作例を表すタイミング波形図である。
【図４９】第６の実施の形態の他の変形例に係る立体表示装置の一動作例を表すタイミング波形図である。
【図５０】変形例に係る立体表示装置の一動作例を表すタイミング波形図である。
【図５１】他の変形例に係る立体表示装置の一構成例を表す説明図である。
【図５２】他の変形例に係る立体表示装置における立体視表示動作の一動作例を表す模式図である。
【図５３】他の変形例に係る立体表示装置の一動作例を表すタイミング波形図である。
【発明を実施するための形態】
【００１５】
以下、本開示の実施の形態について、図面を参照して詳細に説明する。なお、説明は以下の順序で行う。
１．第１の実施の形態
２．第２の実施の形態
３．第３の実施の形態
４．第４の実施の形態
５．第５の実施の形態
６．第６の実施の形態
【００１６】
＜１．第１の実施の形態＞
［構成例］
（全体構成例）
図１は、第１の実施の形態に係る立体表示装置１の一構成例を表すものである。立体表示装置１は、液晶バリアを用いた、パララックスバリア方式の表示装置である。なお、本開示の実施の形態に係るバリア装置、バリア駆動回路、およびバリア装置の駆動方法は、本実施の形態により具現化されるので、併せて説明する。立体表示装置１は、制御部４１と、バックライト駆動部４２と、バックライト３０と、表示駆動部５０と、表示部２０と、バリア駆動部６０と、液晶バリア部１０とを備えている。
【００１７】
制御部４１は、外部より供給される映像信号Ｓdispに基づいて、バックライト駆動部４２、表示駆動部５０、およびバリア駆動部６０に対してそれぞれ制御信号を供給し、これらがお互いに同期して動作するように制御する回路である。具体的には、制御部４１は、バックライト駆動部４２に対してバックライト制御信号ＣＢＬを供給し、表示駆動部５０に対して映像信号Ｓdispに基づく映像信号Ｓを供給し、バリア駆動部６０に対してバリア制御信号ＣＢＲを供給するようになっている。ここで、映像信号Ｓは、立体表示装置１が立体視表示を行う場合に、後述するように、それぞれが複数（この例では８つ）の視点映像を含む映像信号ＳＡ〜ＳＤから構成されるものである。
【００１８】
バックライト駆動部４２は、制御部４１から供給されるバックライト制御信号ＣＢＬに基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１９】
表示駆動部５０は、制御部４１から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００２０】
バリア駆動部６０は、制御部４１から供給されるバリア制御信号ＣＢＲに基づいて、バリア駆動信号ＤＲＶ（後述するバリア駆動信号ＤＲＶＳ，ＤＲＶＡ〜ＤＲＶＤ）および共通信号Ｖcomを生成し、液晶バリア部１０に供給するものである。液晶バリア部１０は、バックライト３０から射出し表示部２０を透過した光を透過（開動作）または遮断（閉動作）するものであり、液晶を用いて構成された複数の開閉部１１，１２（後述）を有している。
【００２１】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア部１０の順に配置されている。つまり、バックライト３０から射出した光は、表示部２０および液晶バリア部１０を介して、観察者に届くようになっている。
【００２２】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４１から供給された映像信号Ｓを映像信号Ｓ１としてデータドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐixへ供給するようになっている。
【００２３】
図４は、表示部２０の画素Ｐixの回路図の一例を表すものである。画素Ｐixは、ＴＦＴ（Thin Film Transistor）素子Ｔｒと、液晶素子ＬＣと、保持容量素子Ｃapとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃapの一端に接続されている。液晶素子ＬＣは、一端がＴＦＴ素子Ｔｒのドレインに接続され、他端は接地されている。保持容量素子Ｃapは、一端がＴＦＴ素子Ｔｒのドレインに接続され、他端は保持容量線Ｃｓに接続されている。ゲート線ＧＣＬはゲートドライバ５２に接続され、データ線ＳＧＬはデータドライバ５３に接続されている。
【００２４】
（液晶バリア部１０およびバリア駆動部６０）
図５は、液晶バリア部１０の一構成例を表すものであり、（Ａ）は液晶バリア部１０の平面図を示し、（Ｂ）は（Ａ）の液晶バリア部１０のＶ−Ｖ矢視方向の断面構成を示す。なお、この例では、液晶バリア部１０はノーマリーホワイト動作を行うものとする。つまり、液晶バリア部１０は、駆動されていない状態では光を透過するものとする。
【００２５】
液晶バリア部１０は、いわゆるパララックスバリアであり、図５（Ａ）に示したように、光を透過または遮断する、交互に配置された複数の開閉部（液晶バリア）１１，１２を有している。これらの開閉部１１，１２は、立体表示装置１が通常表示（２次元表示）および立体視表示のどちらを行うかにより、異なる動作を行うものである。具体的には、開閉部１１は、後述するように、通常表示の際には開状態（透過状態）になり、立体視表示を行う際には、閉状態（遮断状態）となるものである。また、開閉部１２は、後述するように、通常表示の際には開状態（透過状態）、立体視表示の際には、時分割的に開閉動作を行うものである。
【００２６】
これらの開閉部１１，１２は、ＸＹ平面における一方向（ここでは、例えば垂直方向Ｙから所定の角度θをなす方向）に延在して設けられている。角度θは、例えば１８度に設定可能である。このように、開閉部１１，１２を斜め方向に延伸するように形成することにより、立体表示装置１のモアレを低減することができる。開閉部１１の幅Ｅ１と、開閉部１２の幅Ｅ２とは、互いに異なっており、ここでは例えばＥ１＞Ｅ２となっている。但し、開閉部１１，１２の幅の大小関係はこれに限定されず、Ｅ１＜Ｅ２であってもよく、また、Ｅ１＝Ｅ２であってもよい。このような開閉部１１，１２は、液晶層（後述する液晶層１９）を含んで構成されており、この液晶層１９への駆動電圧によって、開閉が切り替わるようになっている。
【００２７】
液晶バリア部１０は、図５（Ｂ）に示したように、例えばガラス等からなる透明基板１３と透明基板１６との間に液晶層１９を備えたものである。この例では、透明基板１３が光入射側、透明基板１６が光出射側に配置されている。透明基板１３の液晶層１９側の面、および透明基板１６の液晶層１９側の面には、例えばＩＴＯなどからなる透明電極層１５，１７がそれぞれ形成されている。これらの透明電極層１５，１７の液晶層１９側の面には、図示しない配向膜が形成されている。液晶層１９は、この例では、ＴＮ（Twisted Nematic）の液晶により構成されるものである。すなわち、液晶層１９は、ノーマリーホワイト動作を行うＴＮ液晶である。なお、これに限定されるものではなく、これに代えて、例えばノーマリーホワイト動作を行うＳＴＮ（Super-Twisted Nematic）の液晶を用いても良い。液晶層１９は、透明基板１３の光入射側および透明基板１６の光出射側には、偏光板１４，１８が貼り合わせられている。偏光板１４，１８は、液晶層１９への入射光および出射光の各偏光方向を制御するものである。偏光板１４の透過軸は、例えば水平方向Ｘの方向に配置され、偏光板１８の透過軸は、例えば垂直方向Ｙの方向に配置される。すなわち、偏光板１４，１８の各透過軸は、互いに直交するように配置される。
【００２８】
透明電極層１５は、複数の透明電極１１０，１２０を有している。透明電極１１０には、バリア駆動部６０により、バリア駆動信号ＤＲＶＳが印加され、透明電極１２０には、バリア駆動部６０により、バリア駆動信号ＤＲＶＡ〜ＤＲＶＤが印加される。また、透明電極層１７は、各透明電極１１０，１２０に共通の電極として設けられている。この例では、透明電極層１７には、バリア駆動部６０により、共通信号Ｖcom（この例では０Ｖの直流電圧）が印加される。透明電極層１５の透明電極１１０と、液晶層１９および透明電極層１７におけるその透明電極１１０に対応する部分とは、開閉部１１を構成している。同様に、透明電極層１５の透明電極１２０と、液晶層１９および透明電極層１５７におけるその透明電極１２０に対応する部分とは、開閉部１２を構成している。
【００２９】
この構成により、透明電極層１５（透明電極１１０，１２０）および透明電極層１７に電圧を印加してその電位差が大きくなると、液晶層１９における光の透過率が減少し、開閉部１１，１２は遮断状態（閉状態）になる。一方、その電位差が小さくなると、液晶層１９における光の透過率が増大し、開閉部１１，１２は透過状態（開状態）となる。
【００３０】
液晶バリア部１０では、開閉部１２は複数のグループにグループ分けされており、立体視表示を行う際、同じグループに属する複数の開閉部１２が、同じタイミングで開動作および閉動作を行うようになっている。以下に、開閉部１２のグループについて説明する。
【００３１】
図６は、開閉部１２のグループ構成例を表すものである。開閉部１２は、この例では４つのグループＡ〜Ｄにグループ分けされている。具体的には、図６に示したように、グループＡを構成する開閉部１２と、グループＢを構成する開閉部１２と、グループＣを構成する開閉部１２と、グループＤを構成する開閉部１２とが、この順で巡回するように配置されている。なお、以下では、グループＡに属する開閉部１２の総称として開閉部１２Ａを適宜用い、グループＢに属する開閉部１２の総称として開閉部１２Ｂを適宜用い、グループＣに属する開閉部１２の総称として開閉部１２Ｃを適宜用い、グループＤに属する開閉部１２の総称として開閉部１２Ｄを適宜用いるものとする。
【００３２】
バリア駆動部６０は、立体視表示を行う際、同じグループに属する複数の開閉部１２が同じタイミングで開閉動作を行うように駆動する。具体的には、バリア駆動部６０は、後述するように、グループＡに属する複数の開閉部１２Ａに対してバリア駆動信号ＤＲＶＡを供給し、グループＢに属する複数の開閉部１２Ｂに対してバリア駆動信号ＤＲＶＢを供給し、グループＣに属する複数の開閉部１２Ｃに対してバリア駆動信号ＤＲＶＣを供給し、グループＤに属する複数の開閉部１２Ｄに対してバリア駆動信号ＤＲＶＤを供給することにより、開閉部１２Ａ〜１２Ｄを時分割的に巡回して開閉動作するように駆動する。
【００３３】
図７は、液晶バリア部１０および表示部２０の一動作例を、断面構造を用いて模式的に表すものであり、（Ａ）〜（Ｄ）は立体視表示を行う場合の４つの状態をそれぞれ示す。この例では、開閉部１２Ａは、表示部２０の８つの画素Ｐixに１つの割合で設けられている。同様に、開閉部１２Ｂ，１２Ｃ，１２Ｄは、それぞれ、表示部２０の８つの画素Ｐixに１つの割合で設けられている。以下の説明では、画素Ｐixは、３つのサブピクセル（ＲＧＢ）から構成されたピクセルとするが、これに限定されるものではなく、例えば、画素Ｐｉｘがサブピクセルであってもよい。図７では、液晶バリア部１０の開閉部１１，１２（１２Ａ〜１２Ｄ）のうち、光が遮断される開閉部を斜線で示している。
【００３４】
立体表示装置１では、立体視表示を行う場合には、表示駆動部５０に映像信号ＳＡ〜ＳＤが時分割的に供給され、表示部２０はそれらに基づいて表示を行う。そして、液晶バリア部１０では、開閉部１１が閉状態（遮断状態）を維持するとともに、表示部２０の表示に同期して開閉部１２（開閉部１２Ａ〜１２Ｄ）が時分割的に開閉動作を行う。具体的には、映像信号ＳＡが供給された場合には、図７（Ａ）に示したように、開閉部１２Ａが開状態になるとともに、それ以外の開閉部１２が閉状態になる。表示部２０では、後述するように、この開閉部１２Ａに対応した位置に配置された互いに隣接する８つの画素Ｐixが、映像信号ＳＡに含まれる８つの視点映像に対応する表示（画素情報Ｐ１〜Ｐ８）を行う。同様に、映像信号ＳＢが供給された場合には、図７（Ｂ）に示したように、開閉部１２Ｂが開状態になるとともに、それ以外の開閉部１２が閉状態になり、この開閉部１２Ｂに対応した位置に配置された互いに隣接する８つの画素Ｐixが、映像信号ＳＢに含まれる８つの視点映像に対応する表示を行う。また、映像信号ＳＣが供給された場合には、図７（Ｃ）に示したように、開閉部１２Ｃが開状態になるとともに、それ以外の開閉部１２が閉状態になり、この開閉部１２Ｃに対応した位置に配置された互いに隣接する８つの画素Ｐixが、映像信号ＳＣに含まれる８つの視点映像に対応する表示を行う。また、映像信号ＳＤが供給された場合には、図７（Ｄ）に示したように、開閉部１２Ｄが開状態になるとともに、それ以外の開閉部１２が閉状態になり、この開閉部１２Ｄに対応した位置に配置された互いに隣接する８つの画素Ｐixが、映像信号ＳＤに含まれる８つの視点映像に対応する表示を行う。これにより、観察者は、後述するように、例えば左眼と右眼とで異なる視点映像を見ることができ、表示された映像を立体的な映像として感じるようになっている。立体表示装置１では、このように、開閉部１２Ａ〜１２Ｄを時分割的に切り換えて開放し映像を表示することにより、後述するように、表示装置の解像度を高めることができるようになっている。
【００３５】
なお、通常表示（２次元表示）を行う場合には、表示部２０は、映像信号Ｓに基づいて通常の２次元映像を表示し、液晶バリア部１０では、開閉部１１および開閉部１２（開閉部１２Ａ〜１２Ｄ）は全て開状態（透過状態）を維持するようになっている。これにより、観察者は、表示部２０に表示された通常の２次元映像をそのまま見ることができる。
【００３６】
図８は、バリア駆動部６０の一構成例を表すものである。バリア駆動部６０は、タイミング制御部６１と、共通信号生成部６２と、バリア駆動信号生成部６３と、セレクタ回路６４Ｓ，６４Ａ〜６４Ｄとを備えている。
【００３７】
タイミング制御部６１は、バリア制御信号ＣＢＲに基づいて、開閉制御信号ＣＴＬＳ，ＣＴＬＡ〜ＣＴＬＤを生成するものである。開閉制御信号ＣＴＬＳは、液晶バリア１１を開閉制御するための論理信号であり、開閉制御信号ＣＴＬＡ〜ＣＴＬＤは、開閉部１２Ａ〜１２Ｄをそれぞれ開閉制御するための論理信号である。開閉制御信号ＣＴＬＳ，ＣＴＬＡ〜ＣＴＬＤは、この例では、後述するように、低レベルが閉状態に対応し、高いレベルが開状態に対応している。
【００３８】
共通信号生成部６２は、共通信号Ｖcom（ここでは０Ｖの直流電圧）を生成するものである。この共通信号Ｖcomは、液晶バリア部１０の共通電極（透明電極層１７）に供給されるものである。バリア駆動信号生成部６３は、バリア制御信号ＣＢＲに基づいて、バリア駆動信号ＤＲＶ０を生成するものである。バリア駆動信号ＤＲＶ０は、具体的には、共通信号Ｖcomを中心レベルとし、所定の周期で高レベル電圧ＶＨと低レベル電圧ＶＬとの間を遷移する矩形波形を有するものである。
【００３９】
セレクタ回路６４Ｓは、開閉制御信号ＣＴＬＳに基づいて、バリア駆動信号ＤＲＶＳを生成するものであり、セレクタ回路６４Ａ〜６４Ｄは、開閉制御信号ＣＴＬＡ〜ＣＴＬＤに基づいて、バリア駆動信号ＤＲＶＡ〜ＤＲＶＤをそれぞれ生成するものである。バリア駆動信号ＤＲＶＳは、開閉部１１の透明電極１１０に印加されるものであり、バリア駆動信号ＤＲＶＡ〜ＤＲＶＤは、開閉部１２Ａ〜１２Ｄの透明電極１２０にそれぞれ印加されるものである。
【００４０】
セレクタ回路６４Ｓ，６４Ａ〜６４Ｄは、それぞれ、インバータＩＶ１，ＩＶ２と、スイッチＳＷ１，ＳＷ２とを有している。インバータＩＶ１は、入力された開閉制御信号ＣＴＬＳ，ＣＴＬＡ〜ＣＴＬＤを論理反転して出力するものである。インバータＩＶ２は、インバータＩＶ１の出力信号を論理反転して出力するものである。スイッチＳＷ１は、一端にバリア駆動信号ＤＲＶ０が供給され、他端はセレクタ回路６４Ｓ，６４Ａ〜６４Ｄの出力端子に接続されている。スイッチＳＷ２は、一端に共通信号Ｖcomが供給され、他端はセレクタ回路６４Ｓ，６４Ａ〜６４Ｄの出力端子に接続されている。
【００４１】
この構成により、例えば、セレクタ回路６４Ｓは、開閉制御信号ＣＴＬＳがＬレベルの場合には、スイッチＳＷ１がオン状態になるとともにスイッチＳＷ２がオフ状態になり、バリア駆動信号ＤＲＶ０をバリア駆動信号ＤＲＶＳとして出力する。また、セレクタ回路６４Ｓは、開閉制御信号ＣＴＬＳがＨレベルの場合には、スイッチＳＷ１がオフ状態になるとともにスイッチＳＷ２がオン状態になり、共通信号Ｖcomをバリア駆動信号ＤＲＶＳとして出力する。セレクタ回路６４Ａ〜６４Ｄについても同様である。
【００４２】
図９は、立体視表示を行う場合における、バリア駆動部６０の一動作例を表すものであり、（Ａ）はバリア駆動信号ＤＲＶ０の波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。立体視表示を行う場合には、タイミング制御部６１は、常に低レベルの開閉制御信号ＣＴＬＳを生成するとともに（図９（Ｂ））、時分割的に順次高レベルになる開閉制御信号ＣＴＬＡ〜ＣＴＬＤを生成する（図９（Ｃ）〜（Ｆ））。この例では、開閉制御信号ＣＴＬＡ〜ＣＴＬＤは、バリア駆動信号ＤＲＶ０の遷移タイミングと同じタイミングで遷移し、開閉制御信号ＣＴＬＡ〜ＣＴＬＤのパルス幅は、バリア駆動信号ＤＲＶ０の半周期の期間と同じになっている。そして、セレクタ回路６４Ｓ，６４Ａ〜６４Ｄは、これらの開閉制御信号ＣＴＬＳ，ＣＴＬＡ〜ＣＴＬＤに基づいて、図９（Ｇ）〜（Ｈ）に示したように、開閉制御信号ＣＴＬＳ，ＣＴＬＡ〜ＣＴＬＤが低レベルのときには、バリア駆動信号ＤＲＶ０を、バリア駆動信号ＤＲＶＳ，ＤＲＶＡ〜ＤＲＶＤとしてそれぞれ出力し、開閉制御信号ＣＴＬＳ，ＣＴＬＡ〜ＣＴＬＤが高レベルのときには、共通信号Ｖcomを、バリア駆動信号ＤＲＶＳ，ＤＲＶＡ〜ＤＲＶＤとしてそれぞれ出力するようになっている。
【００４３】
具体的には、まず、タイミングｔ２において、バリア駆動信号生成部６３が、バリア駆動信号ＤＲＶ０を反転させるとともに（図９（Ａ））、タイミング制御部６１が、開閉制御信号ＣＴＬＡを、低レベルから高レベルへ変化させる（図９（Ｃ））。これにより、セレクタ回路６４Ａでは、スイッチＳＷ１がオフ状態になるとともにスイッチＳＷ２がオン状態になり、共通信号Ｖcomがバリア駆動信号ＤＲＶＡとして出力される（図９（Ｈ））。一方、セレクタ回路６４Ｓ，６４Ｂ〜６４Ｄでは、開閉制御信号ＣＴＬＳ，ＣＴＬＢ〜ＣＴＬＤが低レベルであるため、スイッチＳＷ１がオン状態になるとともにスイッチＳＷ２がオフ状態になり、バリア駆動信号ＤＲＶ０がバリア駆動信号ＤＲＶＳ，ＤＲＶＢ〜ＤＲＶＤとしてそれぞれ出力される（図９（Ｇ），（Ｉ）〜（Ｋ））。これにより、後述するように、液晶バリア部１０では、開閉部１２Ａが開状態になるとともに、開閉部１１，１２Ｂ〜１２Ｄが閉状態になる。
【００４４】
同様にして、タイミングｔ５〜タイミングｔ８の期間において、バリア駆動部６０は、共通信号Ｖcomをバリア駆動信号ＤＲＶＢとして出力するとともに、バリア駆動信号ＤＲＶ０をバリア駆動信号ＤＲＶＳ，ＤＲＶＡ，ＤＲＶＣ，ＤＲＶＤとして出力する（図９（Ｇ）〜（Ｋ））。これにより、後述するように、液晶バリア部１０では、開閉部１２Ｂが開状態になるとともに、開閉部１１，１２Ａ，１２Ｃ，１２Ｄが閉状態になる。そして、タイミングｔ８〜タイミングｔ１１の期間において、バリア駆動部６０は、共通信号Ｖcomをバリア駆動信号ＤＲＶＣとして出力するとともに、バリア駆動信号ＤＲＶ０をバリア駆動信号ＤＲＶＳ，ＤＲＶＡ，ＤＲＶＢ，ＤＲＶＤとして出力する（図９（Ｇ）〜（Ｋ））。これにより、後述するように、液晶バリア部１０では、開閉部１２Ｃが開状態になるとともに、開閉部１１，１２Ａ，１２Ｂ，１２Ｄが閉状態になる。そして、タイミングｔ１１〜タイミングｔ１４の期間において、バリア駆動部６０は、共通信号Ｖcomをバリア駆動信号ＤＲＶＤとして出力するとともに、バリア駆動信号ＤＲＶ０をバリア駆動信号ＤＲＶＳ，ＤＲＶＡ〜ＤＲＶＣとして出力する（図９（Ｇ）〜（Ｋ））。これにより、後述するように、液晶バリア部１０では、開閉部１２Ｄが開状態になるとともに、開閉部１１，１２Ａ〜１２Ｃが閉状態になる。バリア駆動部６０は、このタイミングｔ２〜ｔ１４の期間における動作を繰り返すようになっている。
【００４５】
図１０は、通常表示（２次元表示）を行う場合における、バリア駆動部６０の一動作例を表すものであり、（Ａ）はバリア駆動信号ＤＲＶ０の波形を示し、（Ｂ）は開閉制御信号ＣＴＬＳ，ＣＴＬＡ〜ＣＴＬＤの波形を示し、（Ｃ）はバリア駆動信号ＤＲＶＳ，ＤＲＶＡ〜ＤＲＶＤの波形を示す。通常表示を行う場合には、タイミング制御部６１は、常に高レベルの開閉制御信号ＣＴＬＳ，ＣＴＬＡ〜ＣＴＬＤを生成する（図１０（Ｂ））。セレクタ回路６４Ｓ，６４Ａ〜６４Ｄでは、開閉制御信号ＣＴＬＳ，ＣＴＬＢ〜ＣＴＬＤが高レベルであるため、スイッチＳＷ１がオフ状態になるとともにスイッチＳＷ２がオン状態になり、共通信号Ｖcomが、バリア駆動信号ＤＲＶＳ，ＤＲＶＡ〜ＤＲＶＤとしてそれぞれ出力される（図１０（Ｃ））。これにより、後述するように、液晶バリア１０では、開閉部１１，１２Ａ〜１２Ｄが全て開状態になる。
【００４６】
ここで、開閉部１１，１２は、本開示における「液晶バリア」の一具体例に対応する。開閉部１２は、本開示における「第１の液晶バリア」の一具体例に対応し、開閉部１１は、本開示における「第２の液晶バリア」の一具体例に対応する。液晶バリア部１０は、本開示における「液晶バリア部」の一具体例に対応する。
【００４７】
バリア駆動信号ＤＲＶは、本開示における「駆動信号」の一具体例に対応する。バリア駆動信号ＤＲＶＡ〜ＤＲＶＤは、本開示における「複数の第１の駆動信号」の一具体例に対応する。バリア駆動信号ＤＲＶＳは、本開示における「第２の駆動信号」の一具体例に対応する。
【００４８】
［動作および作用］
続いて、本実施の形態の立体表示装置１の動作および作用について説明する。
【００４９】
（全体動作概要）
まず、図１を参照して、立体表示装置１の全体動作概要を説明する。制御部４１は、外部より供給される映像信号Ｓdispに基づいて、バックライト駆動部４２、表示駆動部５０、バリア駆動部６０に対してそれぞれ制御信号を供給し、これらがお互いに同期して動作するように制御する。バックライト駆動部４２は、バックライト３０を駆動する。バックライト３０は、面発光した光を表示部２０に対して射出する。表示駆動部５０は、制御部４１から供給される映像信号Ｓに基づいて表示部２０を駆動する。表示部２０は、バックライト３０から射出した光を変調することにより表示を行う。バリア駆動部６０は、バリア駆動信号ＤＲＶ（ＤＲＶＳ，ＤＲＶＡ〜ＤＲＶＤ）を用いて液晶バリア部１０を駆動する。液晶バリア部１０の開閉部１１，１２（１２Ａ〜１２Ｄ）は、バリア駆動信号ＤＲＶ（ＤＲＶＳ，ＤＲＶＡ〜ＤＲＶＤ）に基づいてそれぞれ開閉動作を行い、バックライト３０から射出し表示部２０を透過した光を透過または遮断する。
【００５０】
（立体視表示の詳細動作）
次に、いくつかの図を参照して、立体視表示を行う場合の詳細動作を説明する。
【００５１】
図１１は、映像信号ＳＡが供給された場合の、表示部２０および液晶バリア部１０の動作例を表すものである。映像信号ＳＡが供給された場合には、表示部２０は、映像信号ＳＡに含まれる８つの視点映像のそれぞれに対応する画素情報Ｐ１〜Ｐ８を、開閉部１２Ａ付近に配置された画素Ｐixにそれぞれ表示する。そして、液晶バリア部１０では、開閉部１２Ａが開状態（透過状態）になるとともに、開閉部１２Ｂ〜１２Ｄが閉状態になる。これにより、表示部２０の各画素Ｐixから出た光は、開閉部１２Ａによりそれぞれ角度が制限されて出力される。観察者は、例えば左眼で画素情報Ｐ４を、右眼で画素情報Ｐ５を見ることにより、立体的な映像を見ることができる。なお、ここでは、映像信号ＳＡが供給された場合について説明したが、映像信号ＳＢ〜ＳＤが供給された場合についても同様である。
【００５２】
このように、観察者は、左眼と右眼とで、画素情報Ｐ１〜Ｐ８のうちの異なる画素情報を見ることとなり、観察者は立体的な映像として感じることができる。また、開閉部１２Ａ〜１２Ｄを時分割的に順次開放して映像を表示することにより、観察者は、互いにずれた位置に表示される映像を平均化して見ることとなる。よって、立体表示装置１は、開閉部１２Ａのみをもつ場合に比べ、４倍の解像度を実現することが可能となる。言い換えれば、立体表示装置１の解像度は、２次元表示の場合に比べ１／２（＝１／８×４）で済むこととなる。
【００５３】
図１２は、立体表示装置１における立体視表示動作のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。
【００５４】
図１２（Ａ）の縦軸は、表示部２０の線順次走査方向（Ｙ方向）の位置を示している。つまり、図１２（Ａ）は、ある時刻の、Ｙ方向における各位置での表示部２０の動作状態を示している。図１２（Ａ）において、“ＳＡ”は表示部２０が映像信号ＳＡに基づく表示を行っている状態を示し、“ＳＢ”は表示部２０が映像信号ＳＢに基づく表示を行っている状態を示し、“ＳＣ”は表示部２０が映像信号ＳＣに基づく表示を行っている状態を示し、“ＳＤ”は表示部２０が映像信号ＳＤに基づく表示を行っている状態を示している。また、図１２（Ｂ）において、“ＯＮ”は、バックライト３０が点灯している状態を示し、“ＯＦＦ”は、バックライト３０が消灯している状態を示している。なお、図１２に示したタイミングｔ２等は、図９に示したタイミングｔ２等に対応するものである。
【００５５】
立体表示装置１では、走査周期Ｔ１で行われる線順次走査により、開閉部１２Ａ〜１２Ｄにおける表示（映像信号ＳＡ〜ＳＤに基づく表示）を順次、時分割的に行う。そして、表示周期Ｔ０ごとにこれらの表示を繰り返す。ここで、表示周期Ｔ０は、例えば、１６．７［msec］（＝１／６０［Ｈｚ］）にすることが可能である。この場合、走査周期Ｔ１は、２．１［msec］（＝Ｔ０／８）である。以下に、その詳細を説明する。
【００５６】
まず、立体表示装置１は、タイミングｔ１〜ｔ４の期間において、映像信号ＳＡに基づく表示を行う。具体的には、まず、タイミングｔ１〜ｔ３の期間において、表示部２０では、表示駆動部５０から供給される駆動信号に基づき、最上部から最下部に向かって線順次走査が行われ、映像信号ＳＡに基づく表示が行われるとともに（図１２（Ａ））、バックライト３０が消灯する（図１２（Ｂ））。そして、タイミングｔ２において、バリア駆動部６０は、バリア駆動信号ＤＲＶＡを０Ｖ（共通信号Ｖcom）に変化させるとともに（図１２（Ｄ））、その他のバリア駆動信号ＤＲＶＳ，ＤＲＶＢ〜ＤＲＶＤを低レベル電圧ＶＬに変化させる（図１２（Ｃ），（Ｅ）〜（Ｇ））。これにより、液晶バリア部１０では、開閉部１２Ａの光の透過率Ｔが上昇する（図１２（Ｈ））。そして、タイミングｔ３〜ｔ４の期間において、表示部２０では、最上部から最下部に向かって線順次走査が行われ、映像信号ＳＡに基づく表示が再度行われる（図１２（Ａ））。すなわち、表示部２０では、映像信号ＳＡに基づく同じフレーム画像が２回繰り返して表示される。そして、このタイミングｔ３〜ｔ４の期間において、バックライト３０は点灯する（図１２（Ｂ））。これにより、観察者は、タイミングｔ３〜ｔ４の期間において、表示部２０の映像信号ＳＡに基づく表示を見ることができる。
【００５７】
次に、立体表示装置１は、タイミングｔ４〜ｔ７の期間において、タイミングｔ１〜ｔ３の期間における映像信号ＳＡに基づく表示と同様に、映像信号ＳＢに基づく表示を行う。具体的には、まず、タイミングｔ４〜ｔ６の期間において、バックライト３０が消灯し（図１２（Ｂ））、表示部２０は、映像信号ＳＢに基づく表示を行う（図１２（Ａ））。そして、タイミングｔ５において、バリア駆動部６０は、バリア駆動信号ＤＲＶＢを０Ｖ（共通信号Ｖcom）に変化させるとともに、その他のバリア駆動信号ＤＲＶＳ，ＤＲＶＡ，ＤＲＶＣ，ＤＲＶＤを高レベル電圧ＶＨに変化させる（図１２（Ｃ）〜（Ｇ））。これにより、液晶バリア部１０では、開閉部１２Ａの光の透過率Ｔが低下するとともに（図１２（Ｈ））、開閉部１２Ｂの光の透過率Ｔが上昇する（図１２（Ｉ））。そして、タイミングｔ６〜ｔ７の期間において、表示部２０は、映像信号ＳＢに基づく表示を再度行うとともに（図１２（Ａ））、バックライト３０が点灯する（図１２（Ｂ））。これにより、観察者は、タイミングｔ６〜ｔ７の期間において、表示部２０の映像信号ＳＢに基づく表示を見ることができる。また、タイミングｔ４〜ｔ６の期間において、バックライト３０が消灯するようにしたので、観察者は、表示部２０における、映像信号ＳＡに基づく表示から映像信号ＳＢに基づく表示への過渡的な変化、および開閉部１２Ａ，１２Ｂの光の透過率Ｔの過渡的な変化を見ることがないので、画質劣化を低減することができる。
【００５８】
次に、立体表示装置１は、タイミングｔ７〜ｔ１０の期間において、同様に、映像信号ＳＣに基づく表示を行う。具体的には、まず、タイミングｔ７〜ｔ９の期間において、バックライト３０が消灯し（図１２（Ｂ））、表示部２０は、映像信号ＳＣに基づく表示を行う（図１２（Ａ））。そして、タイミングｔ８において、バリア駆動部６０は、バリア駆動信号ＤＲＶＣを０Ｖ（共通信号Ｖcom）に変化させるとともに、その他のバリア駆動信号ＤＲＶＳ，ＤＲＶＡ，ＤＲＶＢ，ＤＲＶＤを低レベル電圧ＶＬに変化させる（図１２（Ｃ）〜（Ｇ））。これにより、液晶バリア部１０では、開閉部１２Ｂの光の透過率Ｔが低下するとともに（図１２（Ｉ））、開閉部１２Ｃの光の透過率Ｔが上昇する（図１２（Ｊ））。そして、タイミングｔ９〜ｔ１０の期間において、表示部２０は、映像信号ＳＣに基づく表示を再度行うとともに（図１２（Ａ））、バックライト３０が点灯する（図１２（Ｂ））。これにより、観察者は、タイミングｔ９〜ｔ１０の期間において、表示部２０の映像信号ＳＣに基づく表示を見ることができる。また、タイミングｔ７〜ｔ９の期間において、バックライト３０が消灯するようにしたので、観察者は、表示部２０における、映像信号ＳＢに基づく表示から映像信号ＳＣに基づく表示への過渡的な変化、および開閉部１２Ｂ，１２Ｃの光の透過率Ｔの過渡的な変化を見ることがないので、画質劣化を低減することができる。
【００５９】
次に、立体表示装置１は、タイミングｔ１０〜ｔ１３の期間において、同様に、映像信号ＳＤに基づく表示を行う。具体的には、まず、タイミングｔ１０〜ｔ１２の期間において、バックライト３０が消灯し（図１２（Ｂ））、表示部２０は、映像信号ＳＤに基づく表示を行う（図１２（Ａ））。そして、タイミングｔ１１において、バリア駆動部６０は、バリア駆動信号ＤＲＶＤを０Ｖ（共通信号Ｖcom）に変化させるとともに、その他のバリア駆動信号ＤＲＶＳ，ＤＲＶＡ〜ＤＲＶＣを高レベル電圧ＶＨに変化させる（図１２（Ｃ）〜（Ｇ））。これにより、液晶バリア部１０では、開閉部１２Ｃの光の透過率Ｔが低下するとともに（図１２（Ｊ））、開閉部１２Ｄの光の透過率Ｔが上昇する（図１２（Ｋ））。そして、タイミングｔ１２〜ｔ１３の期間において、表示部２０は、映像信号ＳＤに基づく表示を再度行うとともに（図１２（Ａ））、バックライト３０が点灯する（図１２（Ｂ））。これにより、観察者は、タイミングｔ１２〜ｔ１３の期間において、表示部２０の映像信号ＳＤに基づく表示を見ることができる。また、タイミングｔ１０〜ｔ１２の期間において、バックライト３０が消灯するようにしたので、観察者は、表示部２０における、映像信号ＳＣに基づく表示から映像信号ＳＤに基づく表示への過渡的な変化、および開閉部１２Ｃ，１２Ｄの光の透過率Ｔの過渡的な変化を見ることがないので、画質劣化を低減することができる。
【００６０】
以後、上述したタイミングｔ１〜ｔ１３の期間の動作を繰り返すことにより、立体表示装置１は、映像信号ＳＡ〜ＳＤに基づく表示（開閉部１２Ａ〜１２Ｄにおける表示）を時分割的に順次行う。
【００６１】
図１３は、図１２のタイミングｔ２〜ｔ５の期間における、各開閉部１１，１２（１２Ａ〜１２Ｄ）に印加されたバリア駆動信号ＤＲＶＳ，ＤＲＶＡ〜ＤＲＶＤの電圧を表すものである。図１３において、（０）は、その開閉部に０Ｖが印加されていることを示し、（Ｈ）は、その開閉部に高レベル電圧ＶＨが印加されていることを示し、（Ｌ）は、その開閉部に低レベル電圧ＶＬが印加されていることを示す。また、開閉部１１，１２（１２Ａ〜１２Ｄ）のうち、光が遮断される開閉部を斜線で示している。
【００６２】
立体表示装置１では、バリア駆動部６０は、閉状態にする開閉部に対して互いに同じ電圧を印加する。具体的には、バリア駆動部６０は、図１２のタイミングｔ２〜ｔ５の期間では、図１３に示したように、開閉部１２Ａ以外の開閉部１１，１２Ｂ〜１２Ｄに対して低レベル電圧ＶＬを印加する。同様に、バリア駆動部６０は、図１２のタイミングｔ５〜ｔ８の期間において、開閉部１２Ｂ以外の開閉部１１，１２Ａ，１２Ｃ，１２Ｄに対して高レベル電圧ＶＨを印加し、図１２のタイミングｔ８〜ｔ１１の期間において、開閉部１２Ｃ以外の開閉部に対して低レベル電圧ＶＬを印加し、図１２のタイミングｔ１１〜ｔ１４の期間において、開閉部１２Ｄ以外の開閉部１１，１２Ａ〜１２Ｃに対して高レベル電圧ＶＨを印加する。このように、立体表示装置１では、閉状態にする開閉部に対して互いに同じ電圧を印加している。
【００６３】
次に、開閉部１１，１２の境界付近の振る舞いについて説明する。
【００６４】
図１４は、立体表示装置１に係る開閉部１１，１２の境界付近における液晶分子の振る舞いを模式的に表すものである。この例では、共通電極（透明電極層１７）には０Ｖが印加され、開閉部１１に係る透明電極１１０、および開閉部１２に係る透明電極１２０に高レベル電圧ＶＨが印加されている。
【００６５】
開閉部１１における液晶層１９では、共通電極と透明電極１１０との間に電場が形成され、基板に対して平行（水平）な等電位面ＳＣＶが形成される。液晶層１９の液晶分子Ｍは、その長軸が、等電位面ＳＣＶに垂直になるように配向するため、開閉部１１では、その長軸が、基板面に垂直な方向に配向する。これにより、開閉部１１では、光の透過率Ｔが低下し、遮断状態（閉状態）になっている。同様に、開閉部１２における液晶層１９でも、共通電極と透明電極１２０との間に電場が形成され、液晶層１９の液晶分子Ｍの長軸が、基板面に垂直な方向に配向する。これにより、開閉部１２もまた、遮断状態（閉状態）になっている。
【００６６】
また、開閉部１１と開閉部１２の境界付近では、透明電極１１０の電圧と透明電極１２０の電圧が互いに等しいため、図１４に示したように、その境界領域においても基板に対してほぼ平行な等電位面ＳＣＶが形成される。これにより、この境界領域でも、液晶層１９の液晶分子Ｍの長軸が、基板面に垂直な方向に配向し、光の透過率Ｔを低くすることができる。
【００６７】
（比較例）
次に、比較例と対比して、本実施の形態の作用を説明する。本比較例に係る立体表示装置１Ｒは、開閉部１１を駆動するバリア駆動信号（バリア駆動信号ＤＲＶＳＲ）が、本実施の形態に係るバリア駆動信号ＤＲＶＳと比べて反転しているものである。すなわち、立体表示装置１Ｒは、そのようなバリア駆動信号ＤＲＶＳＲを生成するバリア駆動部６０Ｒを用いて構成されたものである。その他の構成は、本実施の形態（図１）と同様である。以下に、その詳細を説明する。
【００６８】
図１５は、本比較例に係る立体表示装置１Ｒにおける、立体視表示動作のタイミング図を表すものであり、（Ａ）は表示部２０の動作を示し、（Ｂ）はバックライト３０の動作を示し、（Ｃ）は、バリア駆動信号ＤＲＶＳＲ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。図１５（Ｃ）に示したように、バリア駆動信号ＤＲＶＳＲは、本実施の形態のバリア駆動信号ＤＲＶＳ（図１２（Ｃ））を反転した波形になっている。
【００６９】
図１６は、図１５のタイミングｔ２〜ｔ５における、各開閉部１１，１２（１２Ａ〜１２Ｄ）に印加されたバリア駆動信号ＤＲＶＳＲ，ＤＲＶＡ〜ＤＲＶＤの電圧を表すものである。立体表示装置１Ｒでは、バリア駆動部６０Ｒは、互いに隣接する開閉部をともに閉状態にする際に、各開閉部に対して異なる電圧を印加する。具体的には、バリア駆動部６０Ｒは、例えば、図１６に示したように、開閉部１１に対して高レベル電圧ＶＨを印加するとともに、開閉部１２Ｂ〜１２Ｄに対して低レベル電圧ＶＬを印加する。
【００７０】
次に、開閉部１１，１２の境界付近の振る舞いについて説明する。
【００７１】
図１７は、立体表示装置１Ｒに係る開閉部１１，１２の境界付近における液晶分子の振る舞いを模式的に表すものである。この例では、共通電極（透明電極層１７）には０Ｖが印加され、開閉部１１に係る透明電極１１０には高レベル電圧ＶＨが印加され、開閉部１２に係る透明電極１２０には低レベル電圧ＶＬが印加されている。すなわち、図１７では、互いに隣接する、閉状態にすべき開閉部１１，１２に対して、異なる電圧ＶＨ，ＶＬが印加されている。
【００７２】
立体表示装置１Ｒでは、開閉部１１，１２における液晶層１９の液晶分子Ｍは、本実施の形態に係る立体表示装置１の場合と同様に、その長軸が基板面に垂直な方向に配向することにより、開閉部１１が遮断状態（閉状態）になっている。一方、開閉部１１と開閉部１２の境界付近では、透明電極１１０の電圧と透明電極１２０の電圧が互いに異なるため、図１７に示したように、等電位面ＳＣが基板に対してほぼ垂直になる。これにより、この境界領域では、液晶層１９の液晶分子Ｍは、基板面に平行な方向に配向する。すなわち、この境界領域では、光の透過率Ｔが高くなるおそれがある。
【００７３】
このように、隣接する開閉部の境界付近において光が漏れる場合には、観察者は、画質が低下したように感じるおそれがある。例えば、立体表示装置１Ｒが、図１１に示したように映像を表示し、観察者がその表示画面の正面からその映像を見る場合には、観察者は、開状態になっている開閉部１２Ａを介して、左眼で画素情報Ｐ４を観察し、右眼で画素情報Ｐ５を観察する。このとき、開閉部１１，１２Ｂ〜１２Ｄは閉状態になっているが、これらの境界付近では、光をやや透過するため、観察者は、画像情報Ｐ４，Ｐ５以外の画像情報をも若干観察してしまうおそれがある。すなわち、立体表示装置１Ｒでは、観察者は、本来観察したい視点映像とは異なる視点映像をも観察してしまうため、画質が低下したように感じるおそれがある。
【００７４】
このように、本比較例に係る立体表示装置１Ｒでは、隣接する開閉部をともに閉状態にする際に、各開閉部に対して異なる電圧を印加したので、その境界領域において光が漏れ、観察者は、画質が低下したように感じるおそれがある。
【００７５】
一方、本実施の形態に係る立体表示装置１では、隣接する開閉部をともに閉状態にする際に、各開閉部に対して同じ電圧を印加したので、その境界領域においても基板に対して、上記比較例と比べてほぼ平行な等電位面ＳＣＶが形成されるため、その境界領域における光の透過率Ｔを低くすることができ、画質の低下を低減することができる。
【００７６】
［効果］
以上のように本実施の形態では、隣接する開閉部をともに閉状態にする際に、各開閉部に対して同じ電圧を印加したので、画質の低下を抑えることができる。
【００７７】
［変形例１−１］
上記実施の形態では、立体視表示を行う場合において、開閉制御信号ＣＴＬＡ〜ＣＴＬＤは、バリア駆動信号ＤＲＶ０の遷移タイミングと同じタイミングで遷移したが、これに限定されるものではなく、異なるタイミングで遷移してもよい。以下に、一例を詳細に説明する。
【００７８】
図１８は、本変形例に係る立体表示装置１Ａにおけるバリア駆動部６０Ａの一動作例を表すものであり、（Ａ）はバリア駆動信号ＤＲＶ０の波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。本変形例では、開閉制御信号ＣＴＬＡ〜ＣＴＬＤは、バリア駆動信号ＤＲＶ０の遷移タイミングと異なるタイミングで遷移する（図１８（Ａ）〜（Ｆ））。
【００７９】
具体的には、まず、タイミングｔ２２において、タイミング制御部６１が、開閉制御信号ＣＴＬＡを、低レベルから高レベルへ変化させ（図１８（Ｃ））、セレクタ回路６４Ａが共通信号Ｖcomをバリア駆動信号ＤＲＶＡとして出力する（図１８（Ｈ））。また、セレクタ回路６４Ｓ，６４Ｂ〜６４Ｄは、低レベルの開閉制御信号ＣＴＬＳ，ＣＴＬＢ〜ＣＴＬＤに基づいて、バリア駆動信号ＤＲＶ０をバリア駆動信号ＤＲＶＳ，ＤＲＶＢ〜ＤＲＶＤとしてそれぞれ出力する（図１８（Ｇ），（Ｉ）〜（Ｋ））。そして、タイミングｔ２４において、バリア駆動信号生成部６３が、バリア駆動信号ＤＲＶ０を反転させる（図１８（Ａ））。これにより、バリア駆動信号ＤＲＶＳ，ＤＲＶＢ〜ＤＲＶＤもまた反転する（図１８（Ｇ），（Ｉ）〜（Ｋ））。
【００８０】
同様にして、タイミングｔ２６〜タイミングｔ３０の期間において、バリア駆動部６０Ａは、共通信号Ｖcomをバリア駆動信号ＤＲＶＢとして出力するとともに、バリア駆動信号ＤＲＶ０をバリア駆動信号ＤＲＶＳ，ＤＲＶＡ，ＤＲＶＣ，ＤＲＶＤとして出力する（図１８（Ｇ）〜（Ｋ））。そして、タイミングｔ３０〜タイミングｔ３４の期間において、バリア駆動部６０Ａは、共通信号Ｖcomをバリア駆動信号ＤＲＶＣとして出力するとともに、バリア駆動信号ＤＲＶ０をバリア駆動信号ＤＲＶＳ，ＤＲＶＡ，ＤＲＶＢ，ＤＲＶＤとして出力する（図１８（Ｇ）〜（Ｋ））。そして、タイミングｔ３４〜タイミングｔ３８の期間において、バリア駆動部６０Ａは、共通信号Ｖcomをバリア駆動信号ＤＲＶＤとして出力するとともに、バリア駆動信号ＤＲＶ０をバリア駆動信号ＤＲＶＳ，ＤＲＶＡ〜ＤＲＶＤとして出力する（図１８（Ｇ）〜（Ｋ））。
【００８１】
図１９は、立体表示装置１Ａにおける立体視表示動作のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。なお、図１９に示したタイミングｔ２２等は、図１８に示したタイミングｔ２２等に対応するものである。
【００８２】
まず、立体表示装置１Ａは、タイミングｔ２１〜ｔ２５の期間において、映像信号ＳＡに基づく表示を行う。具体的には、まず、タイミングｔ２１〜ｔ２３の期間において、表示部２０が映像信号ＳＡを表示するとともに（図１９（Ａ））、バックライト３０が消灯する（図１９（Ｂ））。そして、タイミングｔ２２において、バリア駆動部６０Ａは、バリア駆動信号ＤＲＶＡを０Ｖ（共通信号Ｖcom）に変化させる（図１９（Ｄ））。これにより、液晶バリア部１０では、開閉部１２Ａの光の透過率Ｔが上昇する（図１９（Ｈ））。そして、タイミングｔ２３〜ｔ２５の期間において、表示部２０は、映像信号ＳＡに基づく表示を再度行うとともに（図１９（Ａ））、バックライト３０が点灯する（図１９（Ｂ））。その際、タイミングｔ２４において、バリア駆動部６０Ａは、バリア駆動信号ＤＲＶＳ，ＤＲＶＢ〜ＤＲＶＤを高レベル電圧ＶＨに変化させる（図１９（Ｃ），（Ｅ）〜（Ｇ））。これにより、観察者は、タイミングｔ２３〜ｔ２５の期間において、表示部２０の映像信号ＳＡに基づく表示を見ることができる。
【００８３】
同様にして、立体表示装置１Ａは、タイミングｔ２５〜ｔ２９の期間において、映像信号ＳＢに基づく表示を行い、タイミングｔ２９〜ｔ３３の期間において、映像信号ＳＣに基づく表示を行い、タイミングｔ３３〜ｔ３７の期間において、映像信号ＳＤに基づく表示を行う。
【００８４】
［変形例１−２］
上記実施の形態では、立体視表示を行う場合において、開閉制御信号ＣＴＬＡ〜ＣＴＬＤのパルス幅は、バリア駆動信号ＤＲＶ０の半周期の期間と同じとしたが、これに限定されるものではない。以下に、一例を詳細に説明する。
【００８５】
図２０は、本変形例に係る立体表示装置１Ｂにおけるバリア駆動部６０Ｂの一動作例を表すものであり、（Ａ）はバリア駆動信号ＤＲＶ０の波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。本変形例では、開閉制御信号ＣＴＬＡ〜ＣＴＬＤのパルス幅は、バリア駆動信号ＤＲＶ０の半周期の期間よりも長くしている（図２０（Ａ）〜（Ｆ））。具体的には、開閉制御信号ＣＴＬＡ〜ＣＴＬＤの各パルスは、バリア駆動信号ＤＲＶ０の遷移タイミングよりも前に開始し、バリア駆動信号ＤＲＶ０の次の遷移タイミングよりも後に終了する。言い換えれば、バリア駆動部６０Ｂは、開閉制御信号ＣＴＬＡ〜ＣＴＬＤを、そのパルスが互いに重なるように生成している。
【００８６】
図２１は、立体表示装置１Ｂにおける立体視表示動作のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。なお、図２１に示したタイミングｔ４２等は、図２０に示したタイミングｔ４２等に対応するものである。
【００８７】
まず、立体表示装置１Ｂは、タイミングｔ４１〜ｔ４６の期間において、映像信号ＳＡに基づく表示を行う。具体的には、まず、タイミングｔ４１〜ｔ４５の期間において、表示部２０は映像信号ＳＡを表示するとともに（図２１（Ａ））、バックライト３０が消灯する（図２１（Ｂ））。そして、タイミングｔ４２において、バリア駆動部６０Ｂは、バリア駆動信号ＤＲＶＡを０Ｖ（共通信号Ｖcom）に変化させる（図２１（Ｄ））。これにより、液晶バリア部１０では、開閉部１２Ａの光の透過率Ｔが上昇する（図２１（Ｈ））。そして、タイミングｔ４３において、バリア駆動部６０Ｂは、バリア駆動信号ＤＲＶＳ，ＤＲＶＢ，ＤＲＶＣを低レベル電圧ＶＬに変化させる（図２１（Ｃ），（Ｅ），（Ｆ））。そして、タイミングｔ４４において、バリア駆動部６０Ｂは、バリア駆動信号ＤＲＶＤを低レベル電圧ＶＬに変化させる（図２１（Ｇ））。次に、タイミングｔ４５〜ｔ４６の期間において、表示部２０は、映像信号ＳＡに基づく表示を再度行うとともに（図２１（Ａ））、バックライト３０が点灯する（図２１（Ｂ））。これにより、観察者は、タイミングｔ４５〜ｔ４６の期間において、表示部２０の映像信号ＳＡに基づく表示を見ることができる。
【００８８】
同様にして、立体表示装置１Ｂは、タイミングｔ４６〜ｔ５１の期間において、映像信号ＳＢに基づく表示を行い、タイミングｔ５１〜ｔ５６の期間において、映像信号ＳＣに基づく表示を行い、タイミングｔ５６〜ｔ６１の期間において、映像信号ＳＤに基づく表示を行う。
【００８９】
本変形例では、開閉制御信号ＣＴＬＡ〜ＣＴＬＤのパルス幅を調整することにより、開閉部１２Ａ〜１２Ｄが開閉するタイミングおよび開状態になる時間の長さを調整することができる。
【００９０】
［変形例１−３］
上記実施の形態では、開閉部１２を４つのグループにグループ分けしたが、これに限定されるものではない。以下に、一例として、開閉部１２を３つのグループにグループ分けした場合（立体表示装置１Ｃ）と、２つのグループにグループ分けした場合（立体表示装置１Ｄ）について説明する。
【００９１】
図２２は、立体表示装置１Ｃにおける開閉部１２のグループ構成例を表すものである。この例では、開閉部１２Ａと、開閉部１２Ｂと、開閉部１２Ｃとが、この順で巡回するように配置されている。
【００９２】
図２３は、立体表示装置１Ｃにおける立体視表示動作のタイミング図を表すものであり、（Ａ）は表示部２０の動作を示し、（Ｂ）はバックライト３０の動作を示し、（Ｃ）〜（Ｆ）はバリア駆動信号ＤＲＶＳ，ＤＲＶＡ〜ＤＲＶＣの波形をそれぞれ示し、（Ｇ）〜（Ｉ）は開閉部１２Ａ〜１２Ｃの光の透過率Ｔをそれぞれ示す。立体表示装置１Ｃでは、走査周期Ｔ１で行われる線順次走査により、開閉部１２Ａ〜１２Ｃにおける表示（映像信号ＳＡ〜ＳＣに基づく表示）を順次、時分割的に行う。そして、表示周期Ｔ０ごとにこれらの表示を繰り返す。ここで、表示周期Ｔ０は、例えば、１６．７［msec］（＝１／６０［Ｈｚ］）にすることが可能である。この場合、走査周期Ｔ１は、２．８［msec］（＝Ｔ０／６）である。
【００９３】
図２４は、立体表示装置１Ｄにおける開閉部１２のグループ構成例を表すものである。この例では、開閉部１２Ａおよび開閉部１２Ｂが交互に配置されている。
【００９４】
図２５は、立体表示装置１Ｄにおける立体視表示動作のタイミング図を表すものであり、（Ａ）は表示部２０の動作を示し、（Ｂ）はバックライト３０の動作を示し、（Ｃ）〜（Ｅ）はバリア駆動信号ＤＲＶＳ，ＤＲＶＡ，ＤＲＶＢの波形をそれぞれ示し、（Ｆ），（Ｇ）は開閉部１２Ａ，１２Ｂの光の透過率Ｔをそれぞれ示す。立体表示装置１Ｄでは、走査周期Ｔ１で行われる線順次走査により、開閉部１２Ａ，１２Ｂにおける表示（映像信号ＳＡ，ＳＢに基づく表示）を交互に行う。そして、表示周期Ｔ０ごとにこれらの表示を繰り返す。ここで、表示周期Ｔ０は、例えば、１６．７［msec］（＝１／６０［Ｈｚ］）にすることが可能である。この場合、走査周期Ｔ１は、４．２［msec］（＝Ｔ０／４）である。
【００９５】
［変形例１−４］
上記実施の形態では、バリア駆動信号ＤＲＶ０（立体視表示時におけるバリア駆動信号ＤＲＶＳ）は、所定の周期を有する矩形波形としたが、これに限定されるものではない。以下に、その一例について説明する。
【００９６】
図２６は、本変形例に係る立体表示装置１Ｅのタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。
【００９７】
本変形例に係る立体表示装置１Ｅでは、バリア駆動信号ＤＲＶＳは、図２６（Ｃ）に示したように、２つの波形部分Ｗ１，Ｗ２を交互に配置したものである。波形部分Ｗ１，Ｗ２は、高レベル電圧ＶＨと低レベル電圧ＶＬとの間を遷移する矩形波形であり、波形部分Ｗ２は、波形部分Ｗ１を反転したものである。このバリア駆動信号ＤＲＶＳは、上記実施の形態と同様に、バリア駆動信号生成部６３によりバリア駆動信号ＤＲＶ０として生成されるものである。すなわち、このバリア駆動信号ＤＲＶ０もまた、この２つの波形部分Ｗ１，Ｗ２を有している。そして、立体視表示を行う場合には、セレクタ回路６４Ｓが、このバリア駆動信号ＤＲＶ０をバリア駆動信号ＤＲＶＳとして出力する。また、セレクタ回路６４Ａ〜６４Ｄは、上記実施の形態と同様に、このバリア駆動信号ＤＲＶ０および共通信号Ｖcomに基づいて、バリア駆動信号ＤＲＶＡ〜ＤＲＶＤをそれぞれ生成し出力する（図２６（Ｄ）〜（Ｇ））。
【００９８】
本変形例に係る立体表示装置１Ｅでは、上記実施の形態に係る立体表示装置１の場合と同様に、開閉部１２Ａ〜１２Ｄにおける表示（映像信号ＳＡ〜ＳＤに基づく表示）を順次、時分割的に行う。その際、立体表示装置１Ｅでは、バリア駆動信号ＤＲＶＳの波形部分Ｗ１に基づく時分割表示（タイミングｔ９１〜ｔ９２）と、バリア駆動信号ＤＲＶＳの波形部分Ｗ２に基づく時分割表示（タイミングｔ９２〜ｔ９３）とを、交互に行う。
【００９９】
このように、２つの波形部分Ｗ１，Ｗ２を交互に配置したバリア駆動信号ＤＲＶ０を用いることにより、液晶層１９におけるいわゆる“焼き付き”を低減することができる。すなわち、例えば、開閉部１２Ａに印加されるバリア駆動信号ＤＲＶＡ（図２６（Ｄ））では、タイミングｔ９１〜ｔ９３の期間において、高レベル電圧ＶＨが印加される時間と低レベル電圧ＶＬが印加される時間は、互いに等しくなっている。このように、各開閉部１１，１２（１２Ａ〜１２Ｄ）において、透明電極１２０に印加される電圧と共通電極（透明電極層１７）に印加される電圧との電位差の平均値が０Ｖになるため、液晶層１９における“焼き付き”を低減することができる。
【０１００】
なお、上記実施の形態に係る立体表示装置１では、例えば、開閉部１２Ａに印加されるバリア駆動信号ＤＲＶＡ（図１２（Ｄ））において、高レベル電圧ＶＨが印加される時間が、低レベル電圧ＶＬが印加される時間に比べ長いため、液晶層１９における“焼き付き”が生じるおそれがある。よって、立体表示装置１は、この“焼き付き”が画質などに大きな影響を与えないようなアプリケーションにおいて使用することができる。また、上記変形例に係る立体表示装置１Ｃのように、開閉部１２が奇数（立体表示装置１Ｃでは３つ）のグループを構成する場合には、図２３に示したように、高レベル電圧ＶＨが印加される時間と低レベル電圧ＶＬが印加される時間は、互いに等しくなるため、液晶層１９における“焼き付き”を低減することができる。
【０１０１】
＜２．第２の実施の形態＞
次に、第２の実施の形態に係る立体表示装置２について説明する。本実施の形態は、上記第１の実施の形態の場合よりも長い周期のバリア駆動信号ＤＲＶ０に基づいて、バリア駆動信号ＤＲＶＳ，ＤＲＶＡ〜ＤＲＶＤを生成するものである。すなわち、本実施の形態では、そのようなバリア駆動信号ＤＲＶ０を生成するバリア駆動信号生成部７３を備えたバリア駆動部７０を用いて、立体表示装置２を構成している。その他の構成は、上記第１の実施の形態（図１等）と同様である。なお、上記第１の実施の形態に係る立体表示装置１と実質的に同一の構成部分には同一の符号を付し、適宜説明を省略する。
【０１０２】
図２７は、立体視表示を行う場合における、バリア駆動部７０の一動作例を表すものであり、（Ａ）はバリア駆動信号ＤＲＶ０の波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。
【０１０３】
バリア駆動部７０のバリア駆動信号生成部７３は、上記第１の実施の形態に係るバリア駆動信号生成部６３が生成するバリア駆動信号ＤＲＶ０（例えば図９（Ａ））よりも長い周期のバリア駆動信号ＤＲＶ０を生成する（図２７（Ａ））。そして、タイミング制御部６１は、バリア駆動信号ＤＲＶ０の半周期に対応する期間において、パルスを開閉制御信号ＣＴＬＡ〜ＣＴＬＤとして順次出力する。
【０１０４】
具体的には、まず、タイミングｔ１０２において、バリア駆動信号生成部７３が、バリア駆動信号ＤＲＶ０を反転させる（図２７（Ａ））。そして、それと同時に、タイミング制御部６１が、開閉制御信号ＣＴＬＡを低レベルから高レベルへ変化させる（図２７（Ｃ））。これにより、セレクタ回路６４Ａは、共通信号Ｖcomをバリア駆動信号ＤＲＶＡとして出力するとともに（図２７（Ｈ））、セレクタ回路６４Ｓ，６４Ｂ〜６４Ｄは、バリア駆動信号ＤＲＶ０をバリア駆動信号ＤＲＶＳ，ＤＲＶＢ〜ＤＲＶＤとして出力する（図２７（Ｇ），（Ｉ）〜（Ｋ））。
【０１０５】
その後、バリア駆動部７０では、バリア駆動信号ＤＲＶ０の電圧レベルを維持したままで、バリア駆動信号ＤＲＶＳ，ＤＲＶＡ〜ＤＲＶＤを生成する。具体的には、タイミングｔ１０５〜タイミングｔ１０８の期間において、バリア駆動部７０は、共通信号Ｖcomをバリア駆動信号ＤＲＶＢとして出力するとともに、バリア駆動信号ＤＲＶ０をバリア駆動信号ＤＲＶＳ，ＤＲＶＡ，ＤＲＶＣ，ＤＲＶＤとして出力する（図２７（Ｇ）〜（Ｋ））。そして、タイミングｔ１０８〜タイミングｔ１１１の期間において、バリア駆動部７０は、共通信号Ｖcomをバリア駆動信号ＤＲＶＣとして出力するとともに、バリア駆動信号ＤＲＶ０をバリア駆動信号ＤＲＶＳ，ＤＲＶＡ，ＤＲＶＢ，ＤＲＶＤとして出力する（図２７（Ｇ）〜（Ｋ））。そして、タイミングｔ１１１〜タイミングｔ１１４の期間において、バリア駆動部７０は、共通信号Ｖcomをバリア駆動信号ＤＲＶＤとして出力するとともに、バリア駆動信号ＤＲＶ０をバリア駆動信号ＤＲＶＳ，ＤＲＶＡ〜ＤＲＶＣとして出力する（図２７（Ｇ）〜（Ｋ））。
【０１０６】
次に、タイミングｔ１１４において、バリア駆動信号生成部７３が、バリア駆動信号ＤＲＶ０を反転させる（図２７（Ａ））。そして、タイミングｔ１１４〜ｔ１２６の期間において、バリア駆動部７０は、タイミングｔ１０２〜ｔ１１４の期間と同様に、バリア駆動信号ＤＲＶＳ，ＤＲＶＡ〜ＤＲＶＤを生成する。バリア駆動部７０は、このタイミングｔ１０２〜ｔ１２６の期間における動作を繰り返す。
【０１０７】
図２８は、立体表示装置２における立体視表示動作のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。なお、図２８に示したタイミングｔ１０２等は、図２７に示したタイミングｔ１０２等に対応するものである。
【０１０８】
まず、立体表示装置２は、タイミングｔ１０１〜ｔ１０４の期間において、映像信号ＳＡに基づく表示を行う。具体的には、まず、タイミングｔ１０１〜ｔ１０３の期間において、表示部２０は、映像信号ＳＡに基づく表示を行うとともに（図２８（Ａ））、バックライト３０が消灯する（図２８（Ｂ））。そして、タイミングｔ１０２において、バリア駆動部７０は、バリア駆動信号ＤＲＶＡを０Ｖ（共通信号Ｖcom）に変化させるとともに（図２８（Ｄ））、その他のバリア駆動信号ＤＲＶＳ，ＤＲＶＢ〜ＤＲＶＤを高レベル電圧ＶＨに変化させる（図２８（Ｃ），（Ｅ）〜（Ｇ））。これにより、液晶バリア部１０では、開閉部１２Ａの光の透過率Ｔが上昇する（図２８（Ｈ））。そして、タイミングｔ１０３〜ｔ１０４の期間において、表示部２０が、映像信号ＳＡに基づく表示を再度行うとともに（図２８（Ａ））、バックライト３０が点灯する（図２８（Ｂ））。これにより、観察者は、タイミングｔ１０３〜ｔ１０４の期間において、表示部２０の映像信号ＳＡに基づく表示を見ることができる。
【０１０９】
その後、立体表示装置２では、バリア駆動信号ＤＲＶ０の電圧レベルを維持したままで、タイミングｔ１０４〜ｔ１１３の期間において、映像信号ＳＢ〜ＳＤに基づく表示（開閉部１２Ｂ〜１２Ｄにおける表示）が時分割的に順次行われる。
【０１１０】
そして、立体表示装置２では、タイミングｔ１１４において、バリア駆動信号ＤＲＶ０が反転し、タイミングｔ１１４〜ｔ１２５の期間において、映像信号ＳＡ〜ＳＤに基づく表示（開閉部１２Ａ〜１２Ｄにおける表示）が時分割的に順次行われる。立体表示装置２は、このタイミングｔ１０１〜ｔ１２５の期間における動作を繰り返す。
【０１１１】
このように、長い周期のバリア駆動信号ＤＲＶ０を用い、バリア駆動信号ＤＲＶ０の半周期の期間のそれぞれにおいて、開閉部１２Ａ〜１２Ｄにおける表示を行うことにより、液晶層１９におけるいわゆる“焼き付き”を低減することができる。すなわち、例えば、開閉部１２Ａに印加されるバリア駆動信号ＤＲＶＡ（図２８（Ｄ））では、タイミングｔ１０２〜ｔ１２６の期間において、高レベル電圧ＶＨが印加される時間と低レベル電圧ＶＬが印加される時間は、互いに等しくなっている。このように、立体表示装置２では、各開閉部１１，１２（１２Ａ〜１２Ｄ）において、透明電極１２０に印加される電圧と共通電極（透明電極層１７）に印加される電圧との電位差の平均値が０Ｖになるため、液晶層１９における“焼き付き”を低減することができる。
【０１１２】
以上のように本実施の形態では、長い周期のバリア駆動信号ＤＲＶ０を用い、バリア駆動信号ＤＲＶ０の半周期の期間のそれぞれにおいて、開閉部１２Ａ〜１２Ｄにおける表示を行うようにしたので、“焼き付き”を低減することができる。その他の効果は、上記第１の実施の形態の場合と同様である。
【０１１３】
［変形例２−１］
上記実施の形態では、開閉部１２を４つのグループにグループ分けしたが、これに限定されるものではなく、これに代えて、上記第１の実施の形態の変形例１−３と同様に、例えば、開閉部１２を３つのグループにグループ分けしてもよいし、２つのグループにグループ分けしてもよい。これらの場合における、立体視表示動作のタイミング図を、それぞれ図２９，３０に示す。
【０１１４】
［その他の変形例］
また、上記実施の形態では、例えば、上記第１の実施の形態の変形例１−１，１−２を適用することができる。
【０１１５】
＜３．第３の実施の形態＞
次に、第３の実施の形態に係る立体表示装置３について説明する。本実施の形態は、交流信号の共通信号ＶcomACを用いるものである。すなわち、本実施の形態では、そのような共通信号ＶcomACを生成するバリア駆動部８０を用いて、立体表示装置３を構成している。その他の構成は、上記第１の実施の形態（図１）と同様である。なお、上記第１の実施の形態等に係る立体表示装置１と実質的に同一の構成部分には同一の符号を付し、適宜説明を省略する。
【０１１６】
図３１は、バリア駆動部８０の一構成例を表すものである。バリア駆動部８０は、直流駆動信号生成部８３と、共通信号生成部８２とを備えている。直流駆動信号生成部８３は、直流駆動信号Ｖdc（この例では０Ｖ）を生成するものである。共通信号生成部８２は、交流信号の共通信号ＶcomACを生成するものである。共通信号ＶcomACは、具体的には、直流駆動信号Ｖdcを中心レベルとし、所定の周期で高レベル電圧ＶＨと低レベル電圧ＶＬとの間を遷移する矩形波形を有している。この共通信号ＶcomACは、上記第１および第２の実施の形態と同様に、液晶バリア部１０の共通電極（透明電極層１７）に供給されるものである。
【０１１７】
図３２は、立体視表示を行う場合における、バリア駆動部８０の一動作例を表すものであり、（Ａ）は共通信号ＶcomACの波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。
【０１１８】
バリア駆動部８０では、まず、タイミングｔ２０２において、共通信号生成部８２が、共通信号ＶcomACを反転させるとともに（図３２（Ａ））、タイミング制御部６１が、開閉制御信号ＣＴＬＡを、低レベルから高レベルへ変化させる（図３２（Ｃ））。これにより、セレクタ回路６４Ａでは、スイッチＳＷ１がオフ状態になるとともにスイッチＳＷ２がオン状態になり、共通信号ＶcomACがバリア駆動信号ＤＲＶＡとして出力される（図３２（Ｈ））。一方、セレクタ回路６４Ｓ，６４Ｂ〜６４Ｄでは、開閉制御信号ＣＴＬＳ，ＣＴＬＢ〜ＣＴＬＤが低レベルであるため、スイッチＳＷ１がオン状態になるとともにスイッチＳＷ２がオフ状態になり、直流駆動信号Ｖdcがバリア駆動信号ＤＲＶＳ，ＤＲＶＢ〜ＤＲＶＤとしてそれぞれ出力される（図３２（Ｇ），（Ｉ）〜（Ｋ））。
【０１１９】
同様にして、タイミングｔ２０５〜タイミングｔ２０８の期間において、バリア駆動部８０は、共通信号ＶcomACをバリア駆動信号ＤＲＶＢとして出力するとともに、直流駆動信号Vdcをバリア駆動信号ＤＲＶＳ，ＤＲＶＡ，ＤＲＶＣ，ＤＲＶＤとして出力する（図３２（Ｇ）〜（Ｋ））。そして、タイミングｔ２０８〜タイミングｔ２１１の期間において、バリア駆動部８０は、共通信号ＶcomACをバリア駆動信号ＤＲＶＣとして出力するとともに、直流駆動信号Ｖdcをバリア駆動信号ＤＲＶＳ，ＤＲＶＡ，ＤＲＶＢ，ＤＲＶＤとして出力する（図３２（Ｇ）〜（Ｋ））。そして、タイミングｔ２１１〜タイミングｔ２１４の期間において、バリア駆動部８０は、共通信号ＶcomACをバリア駆動信号ＤＲＶＤとして出力するとともに、直流駆動信号Ｖdcをバリア駆動信号ＤＲＶＳ，ＤＲＶＡ〜ＤＲＶＣとして出力する（図３２（Ｇ）〜（Ｋ））。
【０１２０】
図３３は、通常表示（２次元表示）を行う場合における、バリア駆動部８０の一動作例を表すものであり、（Ａ）は共通信号ＶcomACの波形を示し、（Ｂ）は開閉制御信号ＣＴＬＳ，ＣＴＬＡ〜ＣＴＬＤの波形を示し、（Ｃ）はバリア駆動信号ＤＲＶＳ，ＤＲＶＡ〜ＤＲＶＤの波形を示す。セレクタ回路６４Ｓ，６４Ａ〜６４Ｄでは、開閉制御信号ＣＴＬＳ，ＣＴＬＡ〜ＣＴＬＤが高レベルであるため（図３３（Ｂ））、スイッチＳＷ１がオフ状態になるとともにスイッチＳＷ２がオン状態になり、共通信号ＶcomACを、バリア駆動信号ＤＲＶＳ，ＤＲＶＡ〜ＤＲＶＤとしてそれぞれ出力する（図３３（Ｃ））。
【０１２１】
図３４は、立体表示装置３における立体視表示動作のタイミング図を表すものであり、（Ａ）は表示部２０の動作を示し、（Ｂ）はバックライト３０の動作を示し、（Ｃ）は共通信号ＶcomACの波形を示し、（Ｄ）〜（Ｈ）はバリア駆動信号ＤＲＶＳ，ＤＲＶＡ〜ＤＲＶＤの波形をそれぞれ示し、（Ｉ）〜（Ｌ）は開閉部１２Ａ〜１２Ｄの光の透過率Ｔをそれぞれ示す。なお、図３４に示したタイミングｔ２０２等は、図３２に示したタイミングｔ２０２等に対応するものである。
【０１２２】
まず、立体表示装置３は、タイミングｔ２０１〜ｔ２０４の期間において、映像信号ＳＡに基づく表示を行う。具体的には、まず、タイミングｔ２０１〜ｔ２０３の期間において、表示部２０は、映像信号ＳＡに基づく表示を行う（図３４（Ａ））。そして、タイミングｔ２０２において、バリア駆動部８０は、共通信号ＶcomACを反転させるとともに（図３４（Ｃ））、バリア駆動信号ＤＲＶＡを高レベル電圧ＶＨに変化させる（図３４（Ｅ））。これにより、液晶バリア部１０では、開閉部１２Ａの光の透過率Ｔが上昇する（図３４（Ｉ））。そして、タイミングｔ２０３〜ｔ２０４の期間において、表示部２０が、映像信号ＳＡに基づく表示を再度行うとともに（図３４（Ａ））、バックライト３０が点灯する（図３４（Ｂ））。これにより、観察者は、タイミングｔ２０３〜ｔ２０４の期間において、表示部２０の映像信号ＳＡに基づく表示を見ることができる。
【０１２３】
同様にして、立体表示装置３は、タイミングｔ２０４〜ｔ２０７の期間において、映像信号ＳＢに基づく表示を行い、タイミングｔ２０７〜ｔ２１０の期間において、映像信号ＳＣに基づく表示を行い、タイミングｔ２１０〜ｔ２１３の期間において、映像信号ＳＤに基づく表示を行う。
【０１２４】
立体表示装置３では、上記第１の実施の形態に係る立体表示装置１の場合と同様に、隣接する開閉部をともに閉状態にする際に、各開閉部に対して同じ電圧（直流駆動電圧Ｖdc）を印加している。言い換えれば、これらの開閉部では、透明電極１１０，１２０に印加された電圧と、共通電極（透明電極層１７）に印加された電圧との電位差が、互いに等しくなっている。これにより、これらの隣接する開閉部間の境界領域における光の透過率Ｔを低くすることができ、上記第１の実施の形態の場合と同様に、画質の低下を低減することができる。
【０１２５】
以上のように本実施の形態では、交流信号の共通信号ＶcomACを用いた場合でも、画質の低下を低減することができる。その他の効果は、上記第１の実施の形態の場合と同様である。
【０１２６】
［変形例３−１］
上記実施の形態でも、上記第２の実施の形態に係る立体表示装置２において長い周期のバリア駆動信号ＤＲＶ０を用いたのと同様に、共通信号ＶcomACの周期を長くしてもよい。
【０１２７】
［その他の変形例］
また、上記実施の形態でも、例えば、上記第１の実施の形態の各変形例１−１〜１−４を適用することができる。
【０１２８】
＜４．第４の実施の形態＞
次に、第４の実施の形態に係る立体表示装置４について説明する。本実施の形態は、開閉部１１を用いずに、開閉部１２のみを用いて液晶バリア部を構成したものである。すなわち、本実施の形態では、そのような液晶バリア部１００と、その液晶バリア部１００に対して、バリア駆動信号ＤＲＶＡ〜ＤＲＶＤおよび共通信号Ｖcomを供給するバリア駆動部９０を用いて、立体表示装置４を構成している。また、この例では、説明の便宜上、映像信号Ｓは、立体表示装置４が立体視表示を行う場合に、それぞれが４つの視点映像を含む映像信号ＳＡ〜ＳＤから構成されるものとする。その他の構成は、上記第１の実施の形態（図１）と同様である。なお、上記第１の実施の形態等に係る立体表示装置１と実質的に同一の構成部分には同一の符号を付し、適宜説明を省略する。
【０１２９】
図３５は、液晶バリア部１００の一構成例を表すものである。液晶バリア部１００は、開閉部１２を有している。すなわち、上記第１の実施の形態等では、液晶バリア部１０は開閉部１１および開閉部１２を有していたが、本実施の形態では、この開閉部１１を省いている。この例では、開閉部１２Ａと、開閉部１２Ｂと、開閉部１２Ｃと、開閉部１２Ｄとが、この順で巡回するように配置されている。
【０１３０】
図３６は、液晶バリア部１００および表示部２０の一動作例を、断面構造を用いて模式的に表すものであり、（Ａ）〜（Ｄ）は立体視表示を行う場合の４つの状態をそれぞれ示す。この例では、開閉部１２Ａは、表示部２０の４つの画素Ｐixに１つの割合で設けられている。同様に、開閉部１２Ｂ，１２Ｃ，１２Ｄは、それぞれ、表示部２０の４つの画素Ｐixに１つの割合で設けられている。
【０１３１】
立体表示装置４では、立体視表示を行う場合には、表示駆動部５０に映像信号ＳＡ〜ＳＤが時分割的に供給され、表示部２０はそれらに基づいて表示を行う。そして、液晶バリア部１００では、その表示に同期して開閉部１２（開閉部１２Ａ〜１２Ｄ）が時分割的に開閉動作を行う。具体的には、映像信号ＳＡが供給された場合には、図３６（Ａ）に示したように、開閉部１２Ａが開状態になるとともに、それ以外の開閉部１２が閉状態になる。表示部２０では、後述するように、この開閉部１２Ａに対応した位置に配置された互いに隣接する４つの画素Ｐixが、映像信号ＳＡに含まれる４つの視点映像に対応する表示（画素情報Ｐ１〜Ｐ４）を行う。同様に、映像信号ＳＢが供給された場合には、図３６（Ｂ）に示したように、開閉部１２Ｂが開状態になるとともに、それ以外の開閉部１２が閉状態になり、この開閉部１２Ｂに対応した位置に配置された互いに隣接する４つの画素Ｐixが、映像信号ＳＢに含まれる４つの視点映像に対応する表示を行う。また、映像信号ＳＣが供給された場合には、図３６（Ｃ）に示したように、開閉部１２Ｃが開状態になるとともに、それ以外の開閉部１２が閉状態になり、この開閉部１２Ｃに対応した位置に配置された互いに隣接する４つの画素Ｐixが、映像信号ＳＣに含まれる４つの視点映像に対応する表示を行う。また、映像信号ＳＤが供給された場合には、図３６（Ｄ）に示したように、開閉部１２Ｄが開状態になるとともに、それ以外の開閉部１２が閉状態になり、この開閉部１２Ｄに対応した位置に配置された互いに隣接する４つの画素Ｐixが、映像信号ＳＤに含まれる４つの視点映像に対応する表示を行う。
【０１３２】
なお、通常表示（２次元表示）を行う場合には、液晶バリア部１００では、全ての開閉部１２（開閉部１２Ａ〜１２Ｄ）がともに開状態（透過状態）を維持する。
【０１３３】
図３７は、立体表示装置４における立体視表示動作のタイミング図を表すものであり、（Ａ）は表示部２０の動作を示し、（Ｂ）はバックライト３０の動作を示し、（Ｃ）〜（Ｆ）はバリア駆動信号ＤＲＶＡ〜ＤＲＶＤの波形をそれぞれ示し、（Ｇ）〜（Ｊ）は開閉部１２Ａ〜１２Ｄの光の透過率Ｔをそれぞれ示す。図３７は、上記第１の実施の形態に係る立体表示装置１のタイミング図（図１２）と同様であり、図１２からバリア駆動信号ＤＲＶＳの波形を省いたものである。すなわち、立体表示装置４の開閉部１２Ａ〜１２Ｄは、第１の実施の形態に係る立体表示装置１の開閉部１２Ａ〜１２Ｄと全く同様に動作するものである。
【０１３４】
以上のように本実施の形態では、開閉部１１が無い構成であっても、画質の低下を低減することができる。その他の効果は、上記第１の実施の形態の場合と同様である。
【０１３５】
［変形例４−１］
上記実施の形態では、第１の実施の形態に係る立体表示装置１に、液晶バリア部１００を適用したが、これに限定されるものではなく、これに代えて、例えば、第１の実施の形態の各変形例、第２の実施の形態に係る立体表示装置２、第３の実施の形態に係る立体表示装置３に、この液晶バリア部１００を適用してもよい。
【０１３６】
＜５．第５の実施の形態＞
次に、第５の実施の形態に係る立体表示装置５について説明する。本実施の形態は、上記第１の実施の形態において立体視表示を行う際、常に遮断状態（閉状態）になる開閉部１１に対して供給するバリア駆動信号ＤＲＶＳの振幅を、時分割的に開放状態（開状態）にするバリア駆動信号ＤＲＶＡ〜ＤＲＶＤの振幅よりも大きく設定したものである。すなわち、本実施の形態では、そのようなバリア駆動信号ＤＲＶＳ，ＤＲＶＡ〜ＤＲＶＤを生成するバリア駆動部１３０を用いて、立体表示装置５を構成している。その他の構成は、上記第１の実施の形態（図１等）と同様である。なお、上記第１の実施の形態に係る立体表示装置１と実質的に同一の構成部分には同一の符号を付し、適宜説明を省略する。
【０１３７】
図３８は、バリア駆動部１３０の一構成例を表すものである。バリア駆動部１３０は、バリア駆動信号生成部１３３と、セレクタ回路１３４Ｓとを備えている。バリア駆動信号生成部１３３は、バリア制御信号ＣＢＲに基づいて、バリア駆動信号ＤＲＶ０に加え、バリア駆動信号ＤＲＶ１をも生成する機能を有している。バリア駆動信号ＤＲＶ１は、バリア駆動信号ＤＲＶ０と同様の波形形状を有し、その振幅がバリア駆動信号ＤＲＶ０よりも大きいものである。具体的には、バリア駆動信号ＤＲＶ１は、共通信号Ｖcomを中心レベルとし、所定の周期で、バリア駆動信号ＤＲＶ０の高レベル電圧ＶＨよりも高い高レベル電圧ＶＨ１と、バリア駆動信号ＤＲＶ０の低レベル電圧ＶＬよりも低い低レベル電圧ＶＬ１との間を遷移するものである。セレクタ回路１３４Ｓは、開閉制御信号ＣＴＬＳに基づいて、バリア駆動信号ＤＲＶＳを生成するものである。セレクタ回路１３４Ｓでは、スイッチＳＷ１は、一端にバリア駆動信号ＤＲＶ１が供給され、他端はセレクタ回路１３４Ｓの出力端子に接続されている。この構成により、セレクタ回路１３４Ｓは、開閉制御信号ＣＴＬＳがＬレベルの場合には、スイッチＳＷ１がオン状態になるとともにスイッチＳＷ２がオフ状態になり、バリア駆動信号ＤＲＶ１をバリア駆動信号ＤＲＶＳとして出力する。
【０１３８】
図３９は、立体視表示を行う場合における、バリア駆動部１３０の一動作例を表すものであり、（Ａ）はバリア駆動信号ＤＲＶ０，ＤＲＶ１の波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。なお、図３９に示したタイミングｔ２等は、図９，１２等に示したタイミングｔ２等に対応するものである。
【０１３９】
図３９（Ａ）に示したように、バリア駆動信号生成部１３３は、バリア駆動信号ＤＲＶ０に加え、バリア駆動信号ＤＲＶ０よりも振幅が大きいバリア駆動信号ＤＲＶ１を生成する。そして、セレクタ回路１３４Ｓでは、開閉制御信号ＣＴＬＳが低レベルであるため、スイッチＳＷ１がオン状態になるとともにスイッチＳＷ２がオフ状態になり、バリア駆動信号ＤＲＶ１がバリア駆動信号ＤＲＶＳとして出力される（図３９（Ｇ））。
【０１４０】
図４０は、立体表示装置５における立体視表示動作のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。なお、図４０に示したタイミングｔ２等は、図３９等に示したタイミングｔ２等に対応するものである。
【０１４１】
まず、立体表示装置５は、タイミングｔ１〜ｔ４の期間において、映像信号ＳＡに基づく表示を行う。具体的には、まず、タイミングｔ１〜ｔ３の期間において、表示部２０は、映像信号ＳＡに基づく表示を行う（図４０（Ａ））。そして、タイミングｔ２において、バリア駆動部１３０は、バリア駆動信号ＤＲＶＳを低レベル電圧ＶＬ１に変化させ、バリア駆動信号ＤＲＶＡを０Ｖ（共通信号Ｖcom）に変化させ、その他のバリア駆動信号ＤＲＶＢ〜ＤＲＶＤを低レベル電圧ＶＬに変化させる（図４０（Ｃ）〜（Ｇ））。これにより、液晶バリア部１０では、開閉部１２Ａの光の透過率Ｔが上昇する（図４０（Ｈ））。そして、タイミングｔ３〜ｔ４の期間において、表示部２０が、映像信号ＳＡに基づく表示を再度行うとともに（図４０（Ａ））、バックライト３０が点灯する（図４０（Ｂ））。これにより、観察者は、タイミングｔ３〜ｔ４の期間において、表示部２０の映像信号ＳＡに基づく表示を見ることができる。
【０１４２】
同様にして、立体表示装置５は、タイミングｔ４〜ｔ７の期間において、映像信号ＳＢに基づく表示を行い、タイミングｔ７〜ｔ１０の期間において、映像信号ＳＣに基づく表示を行い、タイミングｔ１０〜ｔ１３の期間において、映像信号ＳＤに基づく表示を行う。
【０１４３】
これにより、立体表示装置５では、立体視表示の際、常に遮断状態（閉状態）になる開閉部１１に対して、より大きい振幅のバリア駆動信号ＤＲＶ１を供給する。これにより、以下に説明するように、互いに異なる視点映像が混ざり合って観測される、いわゆるクロストークや、表示のコントラストを改善することができる。
【０１４４】
図４１は、開閉部１１，１２をともに遮断状態にした場合における、立体表示装置１，５の表示面での輝度分布を表すものである。この図４１は、表示部２０が白色表示を行い、液晶バリア部１０の全ての開閉部１１，１２が遮断状態（閉状態）になる条件において、表示面の水平方向に沿った様々な位置（水平方向位置）において輝度を測定したものである。実線は、本実施の形態に係る立体表示装置５における輝度分布を示し、破線は、第１の実施の形態に係る立体表示装置１における輝度分布を示す。なお、この例では、開閉部１１の幅Ｅ１の幅を、開閉部１２の幅Ｅ２の幅よりも小さくしている。
【０１４５】
本実施の形態に係る立体表示装置５では、開閉部１１を遮断状態にする際、より大きい振幅のバリア駆動信号ＤＲＶ１を供給している。これにより、開閉部１１における輝度は、図４１に示したように、第１の実施の形態に係る立体表示装置１の場合（破線）に比べて低くなり、より光が遮断される（部分Ｗ１）。そしてさらに、開閉部１１，１２の境界領域における輝度も、立体表示装置１の場合（破線）に比べて低くなり、より光が遮断される（部分Ｗ２）。
【０１４６】
これにより、立体表示装置５では、図７に示したように、開閉部１２Ａ〜１２Ｄを時分割的に切り換えて開放し映像を表示する際、互いに遮断状態になる開閉部１１，１２の境界領域等から光が漏れるおそれを低減することができるため、クロストークを低減することができ、画質を高めることができる。
【０１４７】
図４２（Ａ）は、立体表示装置１のコントラストを表すものであり、図４２（Ｂ）は、立体表示装置５のコントラストを表すものである。この図４２は、液晶バリア部１０の全ての開閉部１１，１２を開放状態（開状態）にしたときの輝度と、全ての開閉部１１，１２を遮断状態（閉状態）にしたときの輝度との比（コントラスト）を、視野角特性として表すものである。すなわち、図４２において、左右方向は立体表示装置１，５の表示面の水平方向に対応し、上下方向は表示画面の垂直方向に対応している。この図４２（Ａ），（Ｂ）において、実線はコントラストを表す等高線であり、中心に近づくほどコントラストが高くなっていることを示している。
【０１４８】
本実施の形態に係る立体表示装置５（図４２（Ｂ））では、同じコントラストを示す範囲（例えばコントラストが１００の範囲等）を、第１の実施の形態に係る立体表示装置１の場合（図４２（Ａ））に比べてやや大きくすることができる。すなわち、立体表示装置５では、図４１に示したように、開閉部１１，１２を遮断状態にしたときの輝度を下げることができるため、コントラストを大きくすることができる。このように、立体表示装置５では、コントラストを改善することができ、画質を高めることができる。
【０１４９】
以上のように本実施の形態では、立体視表示を行う際、常に遮断状態にする開閉部１２に供給するバリア駆動信号ＤＲＶＳの振幅を大きくしたので、クロストークやコントラストを改善することができ、画質を高めることができる。その他の効果は、上記第１の実施の形態の場合と同様である。
【０１５０】
［変形例５−１］
上記実施の形態では、第１の実施の形態に係る立体表示装置１において、バリア駆動信号ＤＲＶＳの振幅を大きくしたが、これに限定されるものではなく、これに代えて、例えば、第１の実施の形態の各変形例、および第２の実施の形態に係る立体表示装置２において、バリア駆動信号ＤＲＶＳの振幅を大きくしてもよい。
【０１５１】
＜６．第６の実施の形態＞
次に、第６の実施の形態に係る立体表示装置６について説明する。本実施の形態は、上記第１の実施の形態において立体視表示を行う際、開閉部１１，１２に供給するバリア駆動信号ＤＲＶＳ，ＤＲＶＡ〜ＤＲＶＤの振幅を、より大きく設定したものである。すなわち、本実施の形態では、そのようなバリア駆動信号ＤＲＶＳ，ＤＲＶＡ〜ＤＲＶＤを生成するバリア駆動部１４０を用いて、立体表示装置６を構成している。その他の構成は、上記第１の実施の形態（図１等）と同様である。なお、上記第１の実施の形態に係る立体表示装置１と実質的に同一の構成部分には同一の符号を付し、適宜説明を省略する。
【０１５２】
本実施の形態に係るバリア駆動部１４０は、図８に示したように、バリア駆動信号生成部１４３を備えている。バリア駆動信号生成部１４３は、後述するように、上記第１の実施の形態の場合に比べて、振幅が大きいバリア駆動信号ＤＲＶ０を生成する。
【０１５３】
図４３は、立体視表示を行う場合における、バリア駆動部１４０の一動作例を表すものであり、（Ａ）はバリア駆動信号ＤＲＶ０の波形を示し、（Ｂ）〜（Ｆ）は開閉制御信号ＣＴＬＳ，ＣＴＬＡ〜ＣＴＬＤの波形を示し、（Ｇ）〜（Ｋ）はバリア制御信号ＤＲＶＳ，ＤＲＶＡ〜ＤＲＶＤの波形を示す。なお、図４３に示したタイミングｔ２等は、図９，１２等に示したタイミングｔ２等に対応するものである。
【０１５４】
本実施の形態に係るバリア駆動信号ＤＲＶ０は、図４３（Ａ）に示したように、上記第１の実施の形態の場合よりも大きな振幅を有し、所定の周期で極性反転する（図４３（Ａ））。その際、バリア駆動信号ＤＲＶ０は、極性反転する直前において、振幅が減少する。具体的には、バリア駆動信号ＤＲＶ０は、例えば、高レベル電圧ＶＨ１から低レベル電圧ＶＬ１に極性反転する際（例えばタイミングｔ８）、そのタイミングの直前において、電圧レベルが高レベル電圧ＶＨ１から一段階低下する。同様に、低レベル電圧ＶＬ１から高レベル電圧ＶＨ１に極性反転する際（例えばタイミングｔ１１）、そのタイミングの直前において、電圧レベルが低レベル電圧ＶＬ１から一段階上昇する。このように、バリア駆動信号ＤＲＶ０は、極性反転する際、電圧レベルが２段階で遷移する。
【０１５５】
バリア駆動部１４０では、上記第１の実施の形態の場合と同様に、セレクタ回路６４Ｓ，６４Ａ〜６４Ｄが、開閉制御信号ＣＴＬＳ，ＣＴＬＡ〜ＣＴＬＤに基づいて、このバリア駆動信号ＤＲＶ０および共通信号Ｖcomのうちの一方を選択し、バリア駆動信号ＤＲＶＳ，ＤＲＶＡ〜ＤＲＶＤとして出力する（図４３（Ｇ）〜（Ｋ））。
【０１５６】
図４４は、立体表示装置６における立体視表示動作のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。なお、図４４に示したタイミングｔ２等は、図４３等に示したタイミングｔ２等に対応するものである。
【０１５７】
まず、立体表示装置６は、タイミングｔ１〜ｔ４の期間において、映像信号ＳＡに基づく表示を行う。具体的には、まず、タイミングｔ１〜ｔ３の期間において、表示部２０は、映像信号ＳＡに基づく表示を行う（図４４（Ａ））。そして、タイミングｔ２付近において、バリア駆動部１４０は、バリア駆動信号ＤＲＶＡを０Ｖ（共通信号Ｖcom）に２段階で変化させ、その他のバリア駆動信号ＤＲＶＳ，ＤＲＶＢ〜ＤＲＶＤを低レベル電圧ＶＬ１に変化させる（図４４（Ｃ）〜（Ｇ））。これにより、液晶バリア部１０では、開閉部１２Ａの光の透過率Ｔが上昇する（図４４（Ｈ））。そして、タイミングｔ３〜ｔ４の期間において、表示部２０が、映像信号ＳＡに基づく表示を再度行うとともに（図４４（Ａ））、バックライト３０が点灯する（図４４（Ｂ））。これにより、観察者は、タイミングｔ３〜ｔ４の期間において、表示部２０の映像信号ＳＡに基づく表示を見ることができる。
【０１５８】
同様にして、立体表示装置５は、タイミングｔ４〜ｔ７の期間において、映像信号ＳＢに基づく表示を行い、タイミングｔ７〜ｔ１０の期間において、映像信号ＳＣに基づく表示を行い、タイミングｔ１０〜ｔ１３の期間において、映像信号ＳＤに基づく表示を行う。
【０１５９】
立体表示装置６では、開閉部１１，１２に供給するバリア駆動信号ＤＲＶＳ，ＤＲＶＡ〜ＤＲＶＤの振幅を大きくしたので、上記第５の実施の形態の場合と全く同様に、クロストークおよびコントラストを改善することができる。
【０１６０】
また、立体表示装置６では、バリア駆動信号ＤＲＶＳ，ＤＲＶＡ〜ＤＲＶＤが、２段階で遷移するようにしたので、クロストークをさらに低減することができる。以下に、その詳細を説明する。
【０１６１】
図４５は、バリア駆動信号ＤＲＶの波形例を表すものである。図４６は、図４５のバリア駆動信号ＤＲＶが供給された開閉部１１における透過率Ｔの時間変化の一例を表すものである。図４５，４６は、開閉部１１が、遮断状態（閉状態）から開放状態（開状態）に変化する際の動作を示している。
【０１６２】
この例では、図４５に示したように、バリア駆動信号ＤＲＶ（ＤＲＶＳ，ＤＲＶＡ〜ＤＲＶＤ）は、高レベル電圧ＶＨ１から０Ｖに変化している。すなわち、このバリア駆動信号ＤＲＶが印加された開閉部１１は、遮断状態から開放状態に変化する。ケースＣ１の波形は、高レベル電圧ＶＨ１から、電圧ＶＨ１よりも低い電圧ＶＨ２を経て、０Ｖに変化するものである。すなわち、このケースＣ１の波形は、本実施の形態に係るバリア駆動信号ＤＲＶ（ＤＲＶＳ，ＤＲＶＡ〜ＤＲＶＤ）に対応するものである。また、ケースＣ２の波形は、ケースＣ１とは異なり、高レベル電圧ＶＨ１から０Ｖに直接変化するものである。
【０１６３】
ケースＣ２のようなバリア駆動信号ＤＲＶが印加された場合、開閉部１１の透過率Ｔは、図４６に示したように、単調に変化せず、一度透過率Ｔが上昇し始めた後、一端低下し（部分Ｗ３）、その後再度上昇する場合がある。この透過率Ｔの過渡的な変化は、遮断状態において、高レベル電圧ＶＨ１が高いため液晶分子Ｍの配向方向がねじれてしまい、バリア駆動信号ＤＲＶが急激に０Ｖに変化する際に、液晶分子Ｍの応答が乱れることを示している。このように、透過率Ｔが一時的に上昇する場合には、観察者は、この期間における表示部２０の表示内容を観察するおそれがあり、その場合にはクロストークが生じ、画質が低下するおそれがある。
【０１６４】
一方、ケースＣ１では、バリア駆動信号ＤＲＶを２段階で変化するようにしたので、遮断状態（閉状態）から開放状態（開状態）に変化する際に、液晶分子Ｍの応答の乱れを低減することができ、図４６に示したように、透過率Ｔが単調に変化することができる。これにより、ケースＣ２で生じるクロストークを低減することができ、画質が低下するおそれを低減することができる。
【０１６５】
以上のように本実施の形態では、立体視表示を行う際、バリア駆動信号が２段階で変化するようにしたので、クロストークやコントラストを低減することができ、画質を高めることができる。
【０１６６】
また、本実施の形態では、バリア駆動信号生成部１４３が、電圧レベルが２段階で遷移するバリア駆動信号ＤＲＶ０を生成するようにしたので、回路構成をシンプルにすることができる。
【０１６７】
その他の効果は、上記第１の実施の形態の場合と同様である。
【０１６８】
［変形例６−１］
上記実施の形態では、バリア駆動信号ＤＲＶＳ，ＤＲＶＡ〜ＤＲＶＤ０が２段階で遷移するようにしたが、これに限定されるものではない。例えば、上記実施の形態のケース（図４７（Ａ））の他、例えば３段階で変化するようにしてもよいし（図４７（Ｂ））、同様に４段階以上で変化するようにしてもよい。また、例えば、高レベル電圧ＶＨ１から急激にではなくややなだらかに変化するようにしてもよいし（図４７（Ｃ））、高レベル電圧ＶＨ１から一次関数的に０Ｖに向かって変化するようにしてもよい（図４７（Ｄ））。なお、図４７では、高レベル電圧ＶＨ１から０Ｖへの変化を例に説明したが、低レベル電圧ＶＬ１から０Ｖへの変化も同様である。
【０１６９】
［変形例６−２］
上記実施の形態では、第１の実施の形態に係る立体表示装置１において、バリア駆動信号ＤＲＶＳ，ＤＲＶＡ〜ＤＲＶＣの振幅を大きくするとともに、電圧レベルが２段階で遷移するようにしたが、これに限定されるものではなく、これに代えて、例えば、第１〜第４の実施の形態および各変形例において、同様にバリア駆動信号ＤＲＶＳ，ＤＲＶＡ〜ＤＲＶＣの振幅を大きくするとともに、電圧レベルが２段階で遷移するようにしてもよい。一例として、図４８に、第４の実施の形態に係る立体表示装置４に本変形例を適用した場合のタイミング波形図を示す。
【０１７０】
［変形例６−３］
上記実施の形態では、図４４（Ｇ）〜（Ｋ）に示したように、バリア駆動信号ＤＲＶＳ，ＤＲＶＡ〜ＤＲＶＤは、高レベル電圧ＶＨ１から０Ｖや低レベル電圧ＶＬ１に変化する際、および低レベル電圧ＶＬ１から０Ｖや高レベル電圧ＶＨ１に変化する際に、２段階で遷移したが、これに限定されるものではなく、図４９（Ｃ）〜（Ｇ）に示したように、高レベル電圧ＶＨ１から０Ｖに変化する際、および低レベル電圧ＶＬ１から０Ｖに変化する際においてのみ、２段階で遷移してもよい。これにより、遮断状態（閉状態）から開放状態（開状態）に変化する際に、液晶分子Ｍの応答の乱れを低減することができ、クロストークを低減することができ、画質を高めることができる。
【０１７１】
以上、いくつかの実施の形態および変形例を挙げて本技術を説明したが、本技術はこれらの実施の形態等には限定されず、種々の変形が可能である。
【０１７２】
例えば、上記第１、第２、第４の実施の形態等では、バリア駆動信号生成部６３等は、交流信号のバリア駆動信号ＤＲＶ０を生成したが、これに限定されるものではなく、これに代えて、例えば、直流信号のバリア駆動信号ＤＲＶ０を生成してもよい。
【０１７３】
図５０は、本変形例に係る立体表示装置のタイミング図を表すものであり、（Ａ）は表示部２０の動作を示し、（Ｂ）はバックライト３０の動作を示し、（Ｃ）〜（Ｇ）はバリア駆動信号ＤＲＶＳ，ＤＲＶＡ〜ＤＲＶＤの波形をそれぞれ示し、（Ｈ）〜（Ｋ）は開閉部１２Ａ〜１２Ｄの光の透過率Ｔをそれぞれ示す。
【０１７４】
本変形例に係る立体表示装置では、バリア駆動信号生成部６３は、直流信号（この例では高レベル電圧ＶＨ）のバリア駆動信号ＤＲＶ０を生成する。そして、立体視表示を行う場合には、セレクタ回路６４Ｓが、この直流バリア駆動信号ＤＲＶ０をバリア駆動信号ＤＲＶＳとして出力する（図５０（Ｃ））。また、セレクタ回路６４Ａ〜６４Ｄは、上記実施の形態と同様に、このバリア駆動信号ＤＲＶ０および共通信号Ｖcomに基づいて、バリア駆動信号ＤＲＶＡ〜ＤＲＶＤをそれぞれ生成し出力する（図５０（Ｄ）〜（Ｇ））。
【０１７５】
また、例えば、上記実施の形態等では、立体表示装置１等のバックライト３０、表示部２０、液晶バリア部１０は、この順に配置したが、これに限定されるものではなく、これに代えて、図５１に示したように、バックライト３０、液晶バリア部１０、表示部２０の順に配置してもよい。
【０１７６】
図５２は、本変形例に係る表示部２０および液晶バリア部１０の動作例を表すものであり、（Ａ）は、映像信号ＳＡが供給された場合を示し、（Ｂ）は映像信号ＳＢが供給された場合を示す。なお、この例では、開閉部１２が３つのグループを構成、表示部２０が、６つの視点映像を表示する場合について示している。本変形例では、バックライト３０から射出した光は、まず液晶バリア部１０に入射する。そして、その光のうち、開閉部１２Ａ，１２Ｂを透過した光が表示部２０において変調されるとともに、６つの視点映像を出力するようになっている。
【０１７７】
また、例えば、上記実施の形態等では、面発光を行うバックライト３０を用いたが、これに限定されるものではなく、これに代えて、例えば、垂直方向Ｙに並設された複数のサブ発光部を有するバックライトを用い、表示部２０における表示走査に同期して各サブ発光部を時分割的に発光させるようにしてもよい。図５３に、上記第１の実施の形態に係る立体表示装置１に対して本変形例を適用した場合の立体視表示動作のタイミング図を示す。この例では、バックライト３０Ｆは、２つのサブ発光部を有している。このようなバックライトを用いることにより、例えば表示部２０における液晶表示素子の応答が遅い場合において、画質を向上することができる。
【０１７８】
なお、本技術は以下のような構成とすることができる。
【０１７９】
（１）表示部と、
それぞれが開状態と閉状態とを切り換え可能となるように並設された複数の液晶バリアを含むバリア部と、
前記複数の液晶バリアのうち、閉状態にすべき互いに隣接する２以上の液晶バリアに対して、同じ極性の駆動信号を供給するバリア駆動部と
を備えた表示装置。
【０１８０】
（２）前記複数の液晶バリアは、第１の方向に延在するとともに、その第１の方向に交差する方向に交互に形成された複数の第１の液晶バリアおよび複数の第２の液晶バリアを有する
前記（１）に記載の表示装置。
【０１８１】
（３）前記複数の第１の液晶バリアは、複数のバリアグループにグループ分けされ、
前記バリア駆動部は、
前記複数の第１の液晶バリアを、第１の期間内においてバリアグループ間で巡回するように開閉駆動するとともに、
前記複数の第２の液晶バリアを閉状態にするように駆動する
前記（２）に記載の表示装置。
【０１８２】
（４）前記バリア駆動部は、前記複数の第１の液晶バリアに対して、バリアグループごとに互いに異なる複数の第１の駆動信号を供給するとともに、前記複数の第２の液晶バリアに対して第２の駆動信号を供給し、
前記複数の第１の駆動信号および前記第２の駆動信号は、極性が遷移する信号である
前記（３）に記載の表示装置。
【０１８３】
（５）閉状態にすべき前記第１の液晶バリアに供給する前記第１の駆動信号は、閉状態にすべき前記第２の液晶バリアに供給する前記第２の駆動信号と同じ極性である
前記（４）に記載の表示装置。
【０１８４】
（６）閉状態にすべき前記第１の液晶バリアに供給する前記第１の駆動信号は、閉状態にすべき前記第２の液晶バリアに供給する前記第２の駆動信号と同じ電圧である
前記（５）に記載の表示装置。
【０１８５】
（７）閉状態にすべき前記第１の液晶バリアに供給する前記第１の駆動信号は、閉状態にすべき前記第２の液晶バリアに供給する前記第２の駆動信号よりも振幅が小さい
前記（５）に記載の表示装置。
【０１８６】
（８）前記第２の駆動信号は、前記第１の期間より短い第２の期間ごとに極性反転する
前記（４）から（７）のいずれかに記載の表示装置。
【０１８７】
（９）前記第２の駆動信号は、前記第１の期間より短い第２の期間ごとに極性反転する部分駆動波形を有し、
前記部分駆動波形は、前記第１の期間ごとに反転する
前記（４）から（７）のいずれかに記載の表示装置。
【０１８８】
（１０）前記第２の駆動信号は、前記第１の期間ごとに極性反転する
前記（４）から（７）のいずれかに記載の表示装置。
【０１８９】
（１１）一のバリアグループに属する第１の液晶バリアの開状態期間は、他の一のバリアグループに属する第１の液晶バリアの開状態期間と一部重なっている
前記（４）から（１０）のいずれかに記載の表示装置。
【０１９０】
（１２）前記第１の駆動信号は、その第１の駆動信号が供給される前記第１の液晶バリアを閉状態にするための第１の波形部分と、開状態にするための第２の波形部分と、前記第１の波形部分の後であって前記第２の波形部分の前に配置された第３の波形部分とを含む
前記（４）から（１１）のいずれかに記載の表示装置。
【０１９１】
（１３）前記第２の駆動信号は、前記第１の波形部分に対応する波形部分と、前記第３の波形部分に対応する波形部分とを含む
前記（１２）に記載の表示装置。
【０１９２】
（１４）３次元映像表示モードおよび２次元映像表示モードを含む複数の表示モードを有し、
前記３次元映像表示モードにおいて、前記表示部が複数の異なる視点映像を表示する
前記（３）から（１３）のいずれかに記載の表示装置。
【０１９３】
（１５）３次元映像表示モードおよび２次元映像表示モードを含む複数の表示モードを有し、
前記２次元映像表示モードでは、
前記表示部が１つの視点映像を表示し、
前記バリア駆動部は、前記複数の第１の液晶バリアおよび前記複数の第２の液晶バリアが開状態になるように駆動する
前記（２）に記載の表示装置。
【０１９４】
（１６）前記複数の液晶バリアは、第１の方向に延在し、複数のバリアグループにグループ分けされ、
前記バリア駆動部は、前記複数の液晶バリアを、第１の期間においてバリアグループ間で巡回するように開閉駆動する
前記（１）に記載の表示装置。
【０１９５】
（１７）前記バリア駆動部は、前記複数の液晶バリアに対して、バリアグループごとに互いに異なる複数の駆動信号を供給し、
前記複数の駆動信号は、極性が遷移する信号である
前記（１６）に記載の表示装置。
【０１９６】
（１８）閉状態にすべき前記液晶バリアに供給する前記駆動信号は、隣接する液晶バリアのうちの閉状態にすべき液晶バリアに供給する駆動信号と同じ極性である
前記（１７）に記載の表示装置。
【０１９７】
（１９）閉状態にすべき前記液晶バリアに供給する前記駆動信号は、隣接する液晶バリアのうちの閉状態にすべき液晶バリアに供給する駆動信号と同じ電圧である
前記（１７）に記載の表示装置。
【０１９８】
（２０）前記駆動信号は、前記第１の期間より短い第２の期間ごとに遷移する
前記（１７）から（１９）のいずれかに記載の表示装置。
【０１９９】
（２１）前記駆動信号は、その駆動信号が供給される液晶バリアを閉状態にするための第１の波形部分と、開状態にするための第２の波形部分と、前記第１の波形部分の後であって前記第２の波形部分の前に配置された第３の波形部分とを含む
前記（１７）から（２０）のいずれかに記載の表示装置。
【０２００】
（２２）各液晶バリアは、駆動信号と共通信号との電位差に基づいて開閉する
前記（１）から（２１）のいずれかに記載の表示装置。
【０２０１】
（２３）前記共通信号は直流信号である
前記（２２）に記載の表示装置。
【０２０２】
（２４）前記共通信号は交流信号である
前記（２２）に記載の表示装置。
【０２０３】
（２５）各液晶バリアは、前記電位差が大きいほど透過率が低下するものである
前記（１）から（２４）のいずれかに記載の表示装置。
【０２０４】
（２６）前記表示部は液晶表示部であり、
バックライトをさらに備え、
前記液晶表示部は、前記バックライトと前記バリア部との間に配置されている
前記（１）から（２５）のいずれかに記載の表示装置。
【０２０５】
（２７）前記表示部は液晶表示部であり、
バックライトをさらに備え、
前記バリア部は、前記バックライトと前記液晶表示部との間に配置されている
前記（１）から（２５）のいずれかに記載の表示装置。
【０２０６】
（２８）それぞれが開状態と閉状態とを切り換え可能となるように並設された複数の液晶バリアを含むバリア部と、
前記複数の液晶バリアのうち、閉状態にすべき互いに隣接する２以上の液晶バリアに対して、同じ極性の駆動信号を供給するバリア駆動部と
を備えたバリア装置。
【０２０７】
（２９）それぞれが開状態と閉状態とを切り換え可能となるように並設された複数の液晶バリアのうち、閉状態にすべき互いに隣接する２以上の液晶バリアに対して、同じ極性の駆動信号を供給するバリア駆動部を備えた
バリア駆動回路。
【０２０８】
（３０）それぞれが開状態と閉状態とを切り換え可能となるように並設された複数の液晶バリアのうち、閉状態にすべき互いに隣接する２以上の液晶バリアに対して、同じ極性の駆動信号を供給するように駆動する
バリア装置の駆動方法。
【符号の説明】
【０２０９】
１〜６…立体表示装置、１０，１００…液晶バリア部、１１，１２，１２Ａ〜１２Ｄ…開閉部、１３，１６…透明基板、１４，１８…偏光板、１５，１７…透明電極層、１９…液晶層、２０…表示部、３０…バックライト、４１…制御部、４２…バックライト駆動部、５０…表示駆動部、５１…タイミング制御部、５２…ゲートドライバ、５３…データドライバ、６０，７０，８０，９０，１３０，１４０…バリア駆動部、６１…タイミング制御部、６２，８２…共通信号生成部、６３，１３３，１４３…バリア駆動信号生成部、６４Ｓ，６４Ａ〜６４Ｄ，１３４Ｓ…セレクタ回路、８３…直流駆動信号生成部、１１０，１２０…透明電極、Ｃap…保持容量素子、ＣＢＬ…バックライト制御信号、ＣＢＲ…バリア制御信号、ＣＴＬＡ〜ＣＴＬＤ，ＣＴＬＳ…開閉制御信号、ＤＲＶＡ〜ＤＲＶＤ，ＤＲＶＳ，ＤＲＶ０，ＤＲＶ１…バリア駆動信号、ＧＣＬ…ゲート線、ＩＶ１，ＩＶ２…インバータ、ＬＣ…液晶素子、Ｐix…画素、Ｓ，ＳＡ〜ＳＤ，Ｓ１，Ｓdisp…映像信号、ＳＧＬ…信号線、ＳＷ１，ＳＷ２…スイッチ、Ｔ…透過率、Ｔｒ…ＴＦＴ素子、Ｔ０…表示周期、Ｔ１…走査周期、Ｖcom，ＶcomAC…共通信号、Ｖdc…直流駆動信号、ＶＨ，ＶＨ１…高レベル電圧、ＶＬ，ＶＬ１…低レベル電圧。
【図１】
2013011849.tif 000003
【図２】
2013011849.tif 000004
【図３】
2013011849.tif 000005
【図４】
2013011849.tif 000006
【図５】
2013011849.tif 000007
【図６】
2013011849.tif 000008
【図７】
2013011849.tif 000009
【図８】
2013011849.tif 000010
【図９】
2013011849.tif 000011
【図１０】
2013011849.tif 000012
【図１１】
2013011849.tif 000013
【図１２】
2013011849.tif 000014
【図１３】
2013011849.tif 000015
【図１４】
2013011849.tif 000016
【図１５】
2013011849.tif 000017
【図１６】
2013011849.tif 000018
【図１７】
2013011849.tif 000019
【図１８】
2013011849.tif 000020
【図１９】
2013011849.tif 000021
【図２０】
2013011849.tif 000022
【図２１】
2013011849.tif 000023
【図２２】
2013011849.tif 000024
【図２３】
2013011849.tif 000025
【図２４】
2013011849.tif 000026
【図２５】
2013011849.tif 000027
【図２６】
2013011849.tif 000028
【図２７】
2013011849.tif 000029
【図２８】
2013011849.tif 000030
【図２９】
2013011849.tif 000031
【図３０】
2013011849.tif 000032
【図３１】
2013011849.tif 000033
【図３２】
2013011849.tif 000034
【図３３】
2013011849.tif 000035
【図３４】
2013011849.tif 000036
【図３５】
2013011849.tif 000037
【図３６】
2013011849.tif 000038
【図３７】
2013011849.tif 000039
【図３８】
2013011849.tif 000040
【図３９】
2013011849.tif 000041
【図４０】
2013011849.tif 000042
【図４１】
2013011849.tif 000043
【図４２】
2013011849.tif 000044
【図４３】
2013011849.tif 000045
【図４４】
2013011849.tif 000046
【図４５】
2013011849.tif 000047
【図４６】
2013011849.tif 000048
【図４７】
2013011849.tif 000049
【図４８】
2013011849.tif 000050
【図４９】
2013011849.tif 000051
【図５０】
2013011849.tif 000052
【図５１】
2013011849.tif 000053
【図５２】
2013011849.tif 000054
【図５３】
2013011849.tif 000055